(57)【要約】      （修正有）【課題】捕獲対象に制限されることなく、確実に捕獲・拘束し、未使用時には拘束部を閉鎖して保管・収納でき、使用時は自動に拘束部を開放する開閉式刺股を提供する。【解決手段】手で握る筒状の長柄４７と、前記長柄の先端に取り付けられたＵ字形状の押当部材４９及び前記押当部材の両端に回動可能に取り付けられた湾曲状の左右回動アーム３８，４０よりなる拘束部４８と、前記左右回動アームの何れか一方の先端部に回転可能に取りけられた回転アームを有する錠と、捕獲対象の捕獲に連動し前記回転アームの回転を解除する回転アーム解除装置と、前記長柄の内部に設置される柄及び前記柄の先端に取りけられた弧状の押込部５０ａよりなる小刺股５０と、前記小刺股をギア式に繰り出す押込機構５０ｊと、前記小刺股をバネの収縮により元の位置に戻す押込戻装置と、前記拘束部を自動で開放する拘束部開放装置とからなることを特徴とする開閉式刺股の構成とした。【選択図】図４１
2007278685.tif 000002
【特許請求の範囲】
【請求項１】
手で握る棒状の長柄と、前記長柄の先端に取り付けられたＵ字形状の押当部材及び前記押当部材の両端に回動可能に取り付けられた湾曲状の左右回動アームよりなる拘束部と、前記左右回動アームの何れか一方の先端部に回転可能に取りけられた回転アームを有する錠と、捕獲対象の捕獲に連動し前記回転アームの回転を解除する回転アーム解除装置とからなり、捕獲前は前記左右回動アームがバネ付勢により開放されていることを特徴とする開閉式刺股。
【請求項２】
手で握る筒状の長柄と、前記長柄の先端に取り付けられたＵ字形状の押当部材及び前記押当部材の両端に回動可能に取り付けられた湾曲状の左右回動アームよりなる拘束部と、前記左右回動アームの何れか一方の先端部に回転可能に取りけられた回転アームを有する錠と、捕獲対象の捕獲に連動し前記回転アームの回転を解除する回転アーム解除装置と、前記長柄の内部に設置される柄及び前記柄の先端に取りけられた弧状の押込部よりなる小刺股とからなり、捕獲前は前記左右回動アームがバネ付勢により開放され、前記拘束部が環状に施錠されたのちは、前記小刺股を捕獲対象に向け押し込むことによって、捕獲対象が前記拘束部から脱出できないことを特徴とする開閉式刺股。
【請求項３】
手で握る筒状の長柄と、前記長柄の先端に取り付けられたＵ字形状の押当部材及び前記押当部材の両端に回動可能に取り付けられた湾曲状の左右回動アームよりなる拘束部と、前記左右回動アームの何れか一方の先端部に回転可能に取りけられた回転アームを有する錠と、捕獲対象の捕獲に連動し前記回転アームの回転を解除する回転アーム解除装置と、前記長柄の内部に設置される柄及び前記柄の先端に取りけられた弧状の押込部よりなる小刺股と、前記小刺股をギア式に繰り出す押込装置と、前記小刺股をバネの収縮により元の位置に戻す押込戻装置とからなり、捕獲前は前記左右回動アームがバネ付勢により開放され、前記拘束部が環状に施錠されたのちは、前記小刺股を捕獲対象に向けギア式で押し込むことによって、捕獲対象が前記拘束部から脱出できないことを特徴とする開閉式刺股。
【請求項４】
手で握る筒状の長柄と、前記長柄の先端に取り付けられたＵ字形状の押当部材及び前記押当部材の両端に回動可能に取り付けられた湾曲状の左右回動アームよりなる拘束部と、前記左右回動アームの何れか一方の先端部に回転可能に取りけられた回転アームを有する錠と、捕獲対象の捕獲に連動し前記回転アームの回転を解除する回転アーム解除装置と、前記長柄の内部に設置される柄及び前記柄の先端に取りけられた弧状の押込部よりなる小刺股と、前記小刺股をギア式に繰り出す押込装置と、前記小刺股をバネの収縮により元の位置に戻す押込戻装置と、前記拘束部の押当部材内に取り付けられ、前記拘束部を自動で開放する拘束部開放装置とからなり、捕獲前は前記拘束部が閉鎖状態であっても、自動で前記左右回動アームがバネ付勢により開放され、前記拘束部が環状に施錠されたのちは、前記小刺股を捕獲対象に向けギア式で押し込むことによって、捕獲対象が前記拘束部から脱出できないことを特徴とする開閉式刺股。
【請求項５】
長柄と、前記長柄の先端に取り付けられたＵ字形状の押当部材、前記押当部材の一端に回動可能に取り付けられた湾曲状の左回動アーム及び前記押当部材の他端に回動可能に取り付けられた湾曲状の右回動アームよりなる拘束部とからなり、
捕獲前は前記左右回動アームがバネ付勢により開放されており、捕獲時は捕獲対象を前記押当部材、左右回動アームで輪状に囲い連結施錠することを特徴とする開閉式刺股。
【請求項６】
長柄と、前記長柄の先端に取り付けられたＵ字形状の押当部材、前記押当部材の一端に回動可能に取り付けられ、内部に閉鎖時の施錠を制御する施錠機構が設置された湾曲状の左回動アーム及び前記押当部材の他端に回動可能に取り付けられ、内部に錠が設置された湾曲状の右回動アームよりなる拘束部とからなり、
捕獲前は前記左右回動アームがバネ付勢により開放されており、捕獲時は捕獲対象を前記押当部材、左右回動アームで輪状に囲い、前記施錠機構及び錠が連結施錠することを特徴とする開閉式刺股。
【請求項７】
前記施錠機構が、
前記左回動アームの先端部に設置された固定板と、前記固定板に固定された横軸と、前記横軸に挿通するバネと、前記横軸に挿通し前記バネを挟むガイド板と、前記ガイド板に固定され、錠に嵌合する孔を穿設したスライド板と、前記スライド板に設けられ、前記スライド板を捕獲前に係止する係止板と、前記ガイド板が前記横軸から脱落するのを防止する前記左回動アームに固定されたストッパよりなるスライド部と、
前記スライド部に近接し固定されたケースと、前記ケースに渡された支軸と、前記支軸に挿通し、前記左右回動アームの開放時にバネ付勢により前記スライド板を係止する係止部材よりなる保持部と、
前記係止部材を回動させ、前記スライド板の係止を解除する前記係止部材に連結したワイヤと、
前記左回動アームの末端部に固定したケースと、前記ケースに上下回動可能に設置され、前記ワイヤの他端と連結し、前記左右回動アームが閉じたとき、前記押当部材に突設した施錠ボタンにより押し下げられ、前記ワイヤを引く解除板よりなる解除部と、
からなることを特徴とする請求項６に記載の開閉式刺股。
【請求項８】
前記錠が、前記右回動アームの先端部に固定され、前記右回動アームに穿設した鍵穴と対応した位置に穿設された鍵穴、及び前記鍵穴と対峙する位置に固定された鍵受けを有する錠ケースと、前記スライド板の先端部に穿設された孔と嵌合する突起を有し、前記錠ケースに回動可能に設置され、常にバネ付勢により、上方に押し上げられている嵌合部材よりなることを特徴とする請求項６又は請求項７に記載の開閉式刺股。
【請求項９】
前記スライド部のスライド板の先端が先端に行くほど細くなるテーパー形状で、かつ前記錠の突起の前記スライド板方向が斜めに欠損したことを特徴とする請求項７又は請求項８に記載の開閉式刺股。
【請求項１０】
前記開閉式刺股の押当部材を貫通し、長柄内部に収納される柄と、前記柄の先端に設けられたＵ字形の押込部とからなる小刺股を有し、左右回動アームが施錠された後、バネ付勢により前記小刺股が捕獲対象に向け出射されることを特徴とする請求項１或いは請求項５〜請求項９に記載の開閉式刺股。
【請求項１１】
前記小刺股の押込部が、前記左右回動アームが開放時の前記左右回動アームより捕獲対象方向に位置し、捕獲時に捕獲対象が前記押込部を長柄の中に押し込むとともに、前記押込部の両末端が前記左右回動アームを押当部材に押し当て、前記施錠機構の解除契機となることを特徴とする請求項１０に記載の開閉式刺股。
【請求項１２】
前記バネ付勢が、
小刺股の柄の内部に渡された軸と、前記小刺股の柄の上下に穿設された長孔を通り、前記長柄に固定された軸と、前記両軸に係止されたバネからなる押込機構と、
前記長柄に固定されたカバー、前記カバー内部に渡された軸部、前記軸部に回動可能に挿通し、長柄のスリットに通り柄に接触するコの字形のストッパ及び前記ストッパ上面に設けられたレバーよりなる解除スイッチ部、前記ストッパの上下回動を制御する軸部に挿通し前記ケース内部上面及び前記ストッパ側面に係止された撚りバネ及び前記ケース前方に回動可能に取り付けたロックからなる押込開始装置と、からなり、前記レバーの前方を押し込むと、前記バネの収縮により、前記小刺股が捕獲対象に向け出射することを特徴とする請求項１０又は請求項１１に記載の開閉式刺股。
【請求項１３】
前記左右解放保持具を左回動支持部及び前記左回動支持部に挿通し一端が左収納部内部に係り他端が背面にスリットが穿設された左回動アーム内部に係る撚りバネからなる左解放機構と、右回動動支持部及び前記右回動支持部に挿通し一端が右収納部内部に係り他端が背面にスリットが穿設された右回動アーム内部に係る撚りバネからなる右解放機構に、替えたことを特徴とする請求項１〜請求項１２の何れかに記載の開閉式刺股。
【発明の詳細な説明】
【技術分野】
【０００１】
本発明は、取り押さえようとする捕獲対象の胴、足等に押し付けて捕獲対象の抵抗や逃走を防ぎ、捕獲対象の胴、足等を囲み、確実に捕獲・拘束する刺股に関する。なお、捕獲対象とは、人、動物であり、特に凶器を所持した犯罪者、獰猛な動物のことをいう。
【背景技術】
【０００２】
従来の刺股は、長竿の先端部に二股になった角状の棒が装着されており、捕獲対象をこの二股の部分にて、捕獲対象を壁や床などに押し込み、取り押さえる防犯具である。
【０００３】
しかし、使用者が女性、高齢者、子供などである場合、捕獲対象が凶暴で、遙かに使用者と力の差がある場合には、従来の刺股を使用して取り押さえ、捕獲、拘束することはほぼ不可能である。
【０００４】
そこで、環状の拘束部で施錠する機能備えた刺股１Ｆが特許文献１（特許文献１の図１８）に公開されている。
【０００５】
特許文献１に記載の刺股１Ｆは、把手１先端に設けられている二股形状の湾曲状押当て部材３の両先端部に、円弧状の拘束部材４，５をその略中央位置でピン支持によって回動自在に取り付けられており、このピン支持部３０ａ、３０ａを中心にして前記円弧状の拘束部材４，５が開閉自在となるように構成されている。尚、３０ｂは前記拘束部材４，５をバネ付勢によって所定の開いた状態に維持するためのバネ体であり、これによって、この拘束部材４，５がブラ付くのを防止している。
【０００６】
即ち、この第５実施形態の刺股１Ｆは、（特許文献１の図１９に示すように）、押当て部３内に向かって凶悪犯ＤＭの胴体を強く押しつけると、拘束部材４，５におけるピン支持された位置の内側基端部４０に凶悪犯ＤＭが接当し、押当て部３方向に押し込まれると同時に、てこの原理により、拘束部材４，５におけるピン支持された位置の外側の部分が凶悪犯ＤＭの胴体を取り囲み、左右の拘束部材４，５の先端部４ｂ，５ｂが連結して施錠される構造に形成されている。この連結構造は特許文献１の第１実施形態の刺股１Ａと同様の施錠により行われる。
【０００７】
特許文献１の第１実施形態の刺股１Ａの施錠は、段落００６３に記載されているように、左右の拘束部材４，５の先端部分が接合して固定できる構造を示しており、この固定は、一方の拘束部材４の先端部４ｂが他方の拘束部材５の先端部５ｂに一体となって設けられている錠部５ｃ内に突入して施錠することにより行われる。なお、錠部５ｃの鍵穴５ｄ内に鍵Ｋを挿し込んで操作すると開錠するとある。
【０００８】
また、段落００８８に記載されているように、左右の拘束部材４，５の連結固定構造は、施錠構造のものを挙げて説明したが、このような施錠構造ではなく、図示していないが、例えば、一方の拘束部材の先端部の外周面に楔状の突起を形成し、他方の拘束部材の先端部に、前記一方の拘束部材の先端が突入する開口を形成し、この開口の内周壁に前記突起と噛み合う突起を形成して、前記一方の拘束部材の先端が他方の拘束部材の先端の開口内に突入したときに、双方の突起どうしが噛み合って抜け止めが図れる連結構造にしても良い。
【０００９】
更に、段落００８９には、この連結構造によれば、一旦噛み合って連結した状態になると、離脱させることができないので、このような事態になるのを防ぐために、前記他方の拘束部材の先端部内の構造を、２分割構造にしてねじ止めを外すと離脱できるようにすることが望ましいと記載されている。
【特許文献１】特開２００３−２５４６９７号公報
【発明の開示】
【発明が解決しようとする課題】
【００１０】
しかしながら、特許文献１に記載の刺股１Ｆでは、左右の拘束部材４、５の開放機構、施錠構造が具体的でなく、実施可能ではない。
【００１１】
また、環状になる拘束部は、一定の大きさであるため、一定の大きさの捕獲対象に対してのみしか使用できない。捕獲対象が環状の拘束部より大きければ、環状に捕獲、施錠することはできない。また捕獲対象が環状の拘束部より細ければ、一端環状の拘束部に捕獲、施錠したとしても、環状の拘束部からすり抜けてしまう。
【００１２】
更に、未使用時は、常に左右の拘束部材４、５が開放状態にあり、保管場所が制限される。
【００１３】
そこで、本発明は、捕獲対象、その大きさに制限することなく、確実に捕獲、拘束施錠し、さらに未使用時には、拘束部を閉鎖し、コンパクトに保管・収納することができ、加えてワンステップで自動に拘束部を開放する機構を備えた開閉式刺股を提供することを目的とするものである。
【課題を解決するための手段】
【００１４】
本発明は、上記の課題を解決するために、第１に、手で握る棒状の長柄２と、前記長柄２の先端に取り付けられたＵ字形状の押当部材４及び前記押当部材４の両端に回動可能に取り付けられた湾曲状の左右回動アーム５、６よりなる拘束部３と、前記左右回動アーム５、６の何れか一方の先端部に回転可能に取りけられた回転アーム８を有する錠１１と、捕獲対象１２の捕獲に連動し前記回転アーム８の回転を解除する回転アーム解除装置１４とからなり、捕獲前は前記左右回動アーム５、６がバネ付勢により開放されていることを特徴とする開閉式刺股１の構成とした。
第２に、手で握る筒状の長柄２ａと、前記長柄２ａの先端に取り付けられたＵ字形状の押当部材１６及び前記押当部材１６の両端に回動可能に取り付けられた湾曲状の左右回動アーム５、６よりなる拘束部３ａと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ａの内部に設置される柄１５ｂ及び前記柄１５ｂの先端に取りけられた弧状の押込部１５ａよりなる小刺股１５とからなり、捕獲前は前記左右回動アーム５、６がバネ付勢により開放され、前記拘束部３ａが環状に施錠されたのちは、前記小刺股１５を捕獲対象１２ａに向け押し込むことによって、捕獲対象１２ａが前記拘束部３ａから脱出できないことを特徴とする開閉式刺股１ａの構成とした。
第３に、手で握る筒状の長柄２ｃと、前記長柄２ｃの先端に取り付けられたＵ字形状の押当部材１６及び前記押当部材１６の両端に回動可能に取り付けられた湾曲状の左右回動アーム５、６よりなる拘束部３ａと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ｃの内部に設置される柄１７ｂ及び前記柄１７ｂの先端に取りけられた弧状の押込部１７ａよりなる小刺股１７と、前記小刺股１７をギア式に繰り出す押込装置１８と、前記小刺股１７をバネ１９ｂの収縮により元の位置に戻す押込戻装置１９とからなり、捕獲前は前記左右回動アーム５、６がバネ付勢により開放され、前記拘束部３ａが環状に施錠されたのちは、前記小刺股１７を捕獲対象１２ａに向けギア式で押し込むことによって、捕獲対象１２ａが前記拘束部３ａから脱出できないことを特徴とする開閉式刺股１ｂの構成とした。
第４に、手で握る筒状の長柄２ｃと、前記長柄２ｃの先端に取り付けられたＵ字形状の押当部材２５及び前記押当部材２５の両端に回動可能に取り付けられた湾曲状の左右回動アーム５、６よりなる拘束部３ｂと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ｃの内部に設置される柄１７ｂ及び前記柄１７ｂの先端に取りけられた弧状の押込部１７ａよりなる小刺股１７ｅと、前記小刺股１７ｅをギア式に繰り出す押込装置１８と、前記小刺股１７ｅをバネ１９ｂの収縮により元の位置に戻す押込戻装置１９と、前記拘束部３ｂの押当部材２５内に取り付けられ、前記拘束部３ｂを自動で開放する拘束部開放装置３４とからなり、捕獲前は前記拘束部３ｂが閉鎖状態であっても、自動で前記左右回動アーム５、６がバネ付勢により開放され、前記拘束部３ｂが環状に施錠されたのちは、前記小刺股１７ｅを捕獲対象１２ａに向けギア式で押し込むことによって、捕獲対象１２ａが前記拘束部３ｂから脱出できないことを特徴とする開閉式刺股１ｃの構成とした。
また、長柄２と、前記長柄２の先端に取り付けられたＵ字形状の押当部材３７、前記押当部材３７の一端に回動可能に取り付けられた湾曲状の左回動アーム３８及び前記押当部材３７の他端に回動可能に取り付けられた湾曲状の右回動アーム４０よりなる拘束部３６とからなり、捕獲前は前記左右回動アーム３８、４０がバネ付勢により開放されており、捕獲時は捕獲対象１２を前記押当部材３７、左右回動アーム３８、４０で輪状に囲い施錠することを特徴とする開閉式刺股の構成とし、
手で握る棒状の長柄２と、前記長柄２の先端に取り付けられたＵ字形状の押当部材３７、前記押当部材３７の一端に回動可能に取り付けられ、内部に閉鎖時の施錠を制御する施錠機構３９が設置された湾曲状の左回動アーム３８及び前記押当部材３７の他端に回動可能に取り付けられ、内部に錠４５が設置された湾曲状の右回動アーム４０よりなる拘束部３６とからなり、捕獲前は前記左右回動アーム３８、４０がバネ付勢により開放されており、捕獲時は捕獲対象１２を前記押当部材３７、左右回動アーム３８、４０で輪状に囲い、前記施錠機構３９及び錠４５が連結施錠することを特徴とする開閉式刺股３５の構成とし、
前記施錠機構３９が、前記左回動アーム３８の先端部に設置された固定板４１ｂと、前記固定板４１ｂに固定された横軸４１ｃと、前記横軸４１ｃに挿通するバネ４１ｄと、前記横軸４１ｃに挿通し前記バネ４１ｄを挟むガイド板４１ｅと、前記ガイド板４１ｅに固定され、錠４５に嵌合する孔４１ｈを穿設したスライド板４１ｇと、前記スライド板４１ｇに設けられ、前記スライド板４１ｇを捕獲前に係止する係止板４１ｉと、前記ガイド板４１ｅが前記横軸４１ｃから脱落するのを防止する前記左回動アーム３８に固定されたストッパ４１ｋよりなるスライド部４１と、前記スライド部４１に近接し固定されたケース４２ａと、前記ケース４２ａに渡された支軸４２ｂと、前記支軸４２ｂに挿通した捻りコイルバネ４２ｃと、前記捻りコイルバネ４２ｃの一端を係止する係止軸４２ｄと、前記捻りコイルバネ４２ｃの他端を係止し、前記支軸４２ｂに挿通し、前記左右回動アーム３８、４０の開放時にバネ付勢により前記スライド板４１ｇを係止する係止部材４２ｅよりなる保持部４２と、前記係止部材４２ｅを回動させ、前記スライド板４１ｇの係止を解除する前記係止部材４２ｅに連結したワイヤ４３と、前記左回動アーム３８の末端部に固定したケース４４ａと、前記ケース４４ａに上下回動可能に設置され、前記ワイヤ４３の他端と連結し、前記左右回動アーム３８、４０が閉じたとき、前記押当部材３７に突設した施錠ボタン３７ａにより押し下げられ、前記ワイヤ４３を引く解除板４４ｃよりなる解除部４４と、からなることを特徴とする前記開閉式刺股の構成とし、
前記錠４５が、前記右回動アーム４０の先端部に固定され、前記右回動アーム４０に穿設した鍵穴６ａと対応した位置に穿設された鍵穴４５ｂ、及び前記鍵穴４５ｂと対峙する位置に固定された鍵受け４５ｇを有する錠ケース４５ａと、前記錠ケース４５ａに渡された支軸４５ｃと、前記支軸４５ｃに挿通する捻りコイルバネ４５ｄと、前記支軸４５ｃを挿通し、前記スライド板４１ｇの先端部４１ｎに穿設された孔４１ｈと嵌合する突起４５ｆを有し、前記錠ケース４５ａの支軸４５ｃに回動可能に設置され、常にバネ付勢により、上方に押し上げられている嵌合部材４５ｅよりなり、捕獲前にバネ付勢により開放されている前記左右回動アーム３８、４０が、捕獲時に捕獲対象を前記押当部材３７に押し当てた衝撃で、前記左右回動アーム３８、４０が前記押当部材３７に衝突し、前記押当部材３７に突設された施錠ボタン３７ａに、解除部４４の解除板４４ｃが押し込められ、ワイヤ４３が前記保持部４２方向から引かれ、スライド板４１ｇの係止が解除され、スライド板４１ｇがバネ付勢により右回動アーム４０内に突出し、前記突起４５ｆに嵌合し、拘束部３６を輪状に連結し、捕獲対象１２を拘束し、鍵１３によって、嵌合を解除し、捕獲対象１２を開放することを特徴とする前記開閉式刺股の構成とし、
前記スライド部４１のスライド板４１ｇの先端が先端に行くほど細くなるテーパー形状で、かつ前記錠４５の突起４５ｆの前記スライド板４１ｇ方向が斜めに欠損したことを特徴とする前記開閉式刺股の構成とし、
前記開閉式刺股の押当部材３７、４９を貫通し、長柄２、４７内部に収納される柄５０ｂと、前記柄５０ｂの先端に設けられたＵ字形の押込部５０ａとからなる小刺股５０を有し、
左右回動アーム３８、４０が施錠された後、バネ付勢により前記小刺股５０が捕獲対象１２、１２ｂに向け出射されることを特徴とする前記開閉式刺股の構成とし、
前記小刺股５０の押込部５ａが、前記左右回動アーム３８、４０の開放時に前記左右回動アーム３８、４０より捕獲対象１２ｂ方向に位置し、捕獲時に捕獲対象１２ｂが前記押込部５０ａを長柄４７の中に押し込むとともに、前記押込部５０ａの両末端が前記左右回動アーム３８、４０を押当部材４９に押し当て、前記施錠機構３９の解除契機となることを特徴とする前記開閉式刺股の構成とし、
前記バネ付勢が、前記小刺股５０の柄５０ｂの内部に渡された軸５０ｆと、前記小刺股５０の柄５０ｂの上下に穿設された長孔５０ｃ、５０ｃを通り、前記長柄４７に固定された軸５０ｄと、前記両軸５０ｆ、５０ｄに係止されたバネ５０ｅからなる押込機構５０ｊと、前記長柄４７に固定されたカバー５１ａ、前記カバー５１ａ内部に渡された軸部５１ｃ、前記軸部５１ｃに回動可能に挿通し、長柄４７のスリット４７ｂに通り柄５０ｂに接触するコの字形のストッパ５２ａ及び前記ストッパ上面に設けたられたレバー５２ｂよりなる解除スイッチ部５２、前記ストッパ５２ａの上下回動を制御する軸部５１ｃに挿通し前記カバー５１ａ内上面部及び前記ストッパ５２ａ側面に係止された撚りバネ５３及び前記カバー５１ａ前方に回動可能に取り付けたロック５１ｂからなる押込開始装置５１と、からなり、前記レバー５２ｂの前方を押し込むと、前記バネ５０ｅの収縮により、前記小刺股５０が捕獲対象１２ｂに向け出射することを特徴とする請求項１０又は請求項１１に記載の開閉式刺股の構成とし、
前記左右解放保持具９、１０を左回動支持部４ａ及び前記左回動支持部４ａに挿通し一端が左収納部内部４ｃに係り他端が背面にスリット５６ａ、５９ａが穿設された左回動アーム５６、５９内部に係る撚りバネ５４ａからなる左解放機構５４と、右回動動支持部４ｂ及び前記右回動支持部４ｂに挿通し一端が右収納部４ｄ内部に係り他端が背面にスリット５７ａ、６０ａが穿設された右回動アーム５７、６０内部に係る撚りバネ５５ａからなる右解放機構５５に、替えたことを特徴とする請求項１〜請求項１２の何れかに記載の開閉式刺股の構成とした。
【発明の効果】
【００１５】
本発明は、以上の構成であるから以下の効果が得られる。第１に、施錠方法を明確にしたことにより、現実的に実施が可能で、捕獲対象を確実に施錠することができることとなった。このようにしてなる開閉式刺股１は、捕獲と同時に回転アーム解除装置１４より、回転アーム８が回転し、錠１１に施錠され、左右回動アーム５、６を回転アーム８により確実に強固に施錠することができ、確実に捕獲対象１２ａを捕獲することができる点、従来の刺股より優れている。
【００１６】
第２に、小刺股１５を用いることで、より大きな捕獲対象から、より細い捕獲対象を捕獲することができるようになり、従来にくらべ捕獲対象の大きさの制限が緩和された。また、このようにしてなる開閉式刺股１ａは、捕獲対象１２ａが細身であったり、腕、足などの細い部分を拘束した場合であっても、瞬時に小刺股１５できつく拘束することができることから、捕獲対象１２、１２ａの大きさに制限されることなく、確実に捕獲対象１２、１２ａを捕獲することができる点、実施例１の開閉式刺股１より優れている。
【００１７】
第３に、押込装置１８を設けることで、力がない捕獲者であっても、捕獲対象１２ａの抵抗に対して押し戻されることなく、容易に小刺股１７で押し込むことができる。また、押込戻装置１９を設けることで、一端押し込んだ小刺股１７を容易且つ瞬時に元の位置に戻すことができ、次回の開閉式刺股１ｂを使用するに際し、捕獲対象１２ａを目の前に、小刺股１７を元の位置に戻す必要がなく、便宜且つ確実に小刺股１７を所定の位置に留め、捕獲対象１２ａを小刺股１７の設置位置の問題により取り逃がすことが無くなる。従って、このようにしてなる開閉式刺股１ｂは、実施例２の開閉式刺股１ａより優れている。
【００１８】
第４に、拘束部開放装置３４を、実施例３で示した開閉式刺股１ｂの拘束部３ｂに取り付け、小刺股１７ｅを用いることで、自動的に拘束部３ｂを開放することができるようになる。このようにしてなる開閉式刺股１ｃは、普段の未使用時には、拘束部３ｂを閉鎖した状態で保管し、本発明である開閉式刺股１ｃを使用するとき、自動で拘束部３ｂが開放し、拘束部３ｂの開閉のトラブルによって、捕獲対象１２、１２ａを取り逃がすことがなくなる点、実施例１〜３の開閉式刺股１、１ａ、１ｂより優れている。
加えて、実施例５、６の開閉式刺股３５、４６は、実施例１〜４より簡易な構成であるため、より安価に提供できる。さらに実施例６の開閉式刺股４６は、小刺股を長柄の中に収納するため、捕獲できる捕獲対象の幅が広がる。さらに、左右解放機構５４、５５を採用することにより、一層簡易な構造で安価にすることができる。
【発明を実施するための最良の形態】
【００１９】
捕獲対象、その大きさに制限されることなく、確実に捕獲、拘束施錠し、さらに未使用時には、拘束部を閉鎖し、コンパクトに保管・収納することができ、加えてワンステップで自動的に拘束部を開放する機構を備えた開閉式刺股を提供する目的を、
手で握る筒状の長柄２ｃと、前記長柄２ｃの先端に取り付けられたＵ字形状の押当部材１６及び前記押当部材１６の両端に回動可能に取り付けられた湾曲状の左右回動アーム５、６よりなる拘束部３ｂと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ｃの内部に設置される柄１７ｂ及び前記柄１７ｂの先端に取りけられた弧状の押込部１７ａよりなる小刺股１７ｅと、前記小刺股１７ｅをギア式に繰り出す押込装置１８と、前記小刺股１７ｅをバネ１９ｂの収縮により元の位置に戻す押込戻装置１９と、前記拘束部３ｂの押当部材２５内に取り付け、前記拘束部３ｂを自動で開放する拘束部開放装置３４とからなり、捕獲前は前記拘束部３ｂが閉鎖状態であっても、自動で前記左右回動アーム５、６がバネ付勢により開放され、前記拘束部３ｂが環状に施錠されたのちは、前記小刺股１７ｅを捕獲対象１２ａに向けギア式で押し込むことによって、捕獲対象１２ａが前記拘束部３ｂから脱出できないことを特徴とする開閉式刺股１ｃの構成とすることで実現した。
また、長柄４７と、前記長柄４７の先端に取り付けられたＵ字形状の押当部材４９、前記押当部材４９の一端に回動可能に取り付けられ、内部に閉鎖時の施錠を制御する施錠機構３９が設置された湾曲状の左回動アーム３８及び前記押当部材３７の他端に回動可能に取り付けられ、内部に錠４５が設置された湾曲状の右回動アーム４０よりなる拘束部３６と、前記押当部材４９を挿通し、長柄４７内部に収納される柄５０ｂと、前記柄５０ｂの先端に設けられたＵ字形の押込部５０ａとからなる小刺股５０とからなり、
捕獲前は前記左右回動アーム３８、４０がバネ付勢により開放されており、捕獲時は前記小刺股５０の押込部５ａが、前記左右回動アーム３８、４０の開放時に前記左右回動アーム３８、４０より捕獲対象１２ｂ方向に位置し、捕獲時に捕獲対象１２ｂが前記押込部５０ａを長柄４７の中に押し込むとともに、前記押込部５０ａの両末端が前記左右回動アーム３８、４０を押当部材４９に押し当て、前記施錠機構３９の解除契機とり、捕獲対象１２を前記押当部材４９、左右回動アーム３８、４０で輪状に囲い、前記施錠機構３９及び錠４５が連結施錠し、左右回動アーム３８、４０が施錠された後、バネ付勢により前記小刺股５０が捕獲対象１２、１２ｂに向け出射されることを特徴とする開閉式刺股４６の構成とした。
【実施例１】
【００２０】
以下に、添付図面に基づいて、本発明である開閉式刺股について詳細に説明する。
【００２１】
図１は、本発明である開閉式刺股の第１の実施例の平面図である。開閉式刺股１は、手で握る棒状の長柄２と、前記長柄２の先端に取り付けられた拘束部３と、前記拘束部３を施錠する錠１１と、捕獲対象１２の捕獲に連動し前記錠１１の一部を構成する回転アーム８の回転を解除する回転アーム解除装置１４とからなる。
【００２２】
ここで、開閉式刺股１の大きめ部材は、逃亡する人、暴れる動物などを捕獲するために使用することから、頑丈で、且つ軽量な素材で作ることが望ましい。従って、金属特にアルミニウム、ステンレス、カーボン素材が最適である。
【００２３】
長柄２の先端は、図１のようにＹ字形状にすることで、長柄２と拘束部３の連結部位の強度が増すためより望ましい。なお、長柄２と拘束部３の連結部位の強度を保つことができれば、長柄２先端を棒状にし、拘束部３に長柄２を直結しても構わない。
【００２４】
拘束部３は、捕獲対象１２に押し当てられるＵ字形状の押当部材４と、押当部材４の両端に回動可能に取り付けられた湾曲状の左回動アーム５及び湾曲状の右回動アーム６と、左右回動アーム５、６を拘束時まで開放状態に維持し、ぶらつかせないようにする左右開放保持具９、１０からなる。
【００２５】
左右開放保持具９、１０には、板バネなどを用いることができる。なお、左右回動アーム５、６は、その略中央で、押当部材４の両端の左右回動支持部４ａ、４ｂへ回動可能に取り付けられる。
【００２６】
錠１１は、左回動アーム５の先端部の回転支持部５ａに回転可能に取り付けられた回転アーム８と、回転アーム８と嵌合する右回動アーム６の先端に設けられた錠本体７からなる。回転アーム８と錠本体７が嵌合することで、拘束部３を環状に連結固定することができる。なお、回転アーム８は、左右回動アーム５、６の何れか一方の先端部に回転可能に取りけられ、他方に錠本体７は取り付けられる。また、錠１１は、錠本体７が取り付けられた回動アームに鍵穴６ａを設け、鍵によって施錠解除することができるようにする。
【００２７】
回転アーム解除装置１４は、左回動アーム５に取り付けられた施錠ボタン１４ｃが、捕獲対象１２の捕獲に連動し、左回動アーム５に固定されていた回転アーム８を左回動アーム５から解除する機構を有する装置である。
【００２８】
図２は、開放保持具の透視斜視図である。左右開放保持具９、１０は、軸９ａ、１０ａと、Ｌ字板９ｂ、１０ｂと、湾曲板９ｃ、１０ｃからなる。図２（Ａ）は、軸９ａ、１０ａ及びＬ字板９ｂ、１０ｂであり、図２（Ｂ）は湾曲板９ｃ、１０ｃである。
【００２９】
軸９ａ、１０ａは、Ｌ字板９ｂ、１０ｂの折れ曲がれ部の内側に位置し、押当部材４の両端の所定の位置に固定される。Ｌ字板９ｂ、１０ｂは、左右回動アーム５、６に接し、内側に凸な上湾曲部９ｆ、１０ｆと湾曲板９ｃ、１０ｃに接し、内側に凸な下湾曲部９ｇ、１０ｇからなるＬ字形状の板バネである。
【００３０】
Ｌ字板９ｂ、１０ｂは、軸９ａ、１０ａを支点に上湾曲部９ｆ、１０ｆ及び下湾曲部９ｇ、１０ｇが広がり左右回動アーム５、６の開放を維持し、圧縮され接近することにより左右回動アーム５、６の閉鎖を可能にする。
【００３１】
左右の湾曲板９ｃ、１０ｃは、外側に凸に湾曲し、一方の先端部に孔９ｅ、１０ｅが設けられ、押当部材４の所定の位置にボルト、ナットなどの留具９ｄ、１０ｄで固定され、他端は、Ｌ字板９ｂ、１０ｂの下湾曲部９ｇ、１０ｇの下に位置し、Ｌ字板９ｂ、１０ｂを押し上げる方向にバネ付勢がかかる板バネである。
【００３２】
図３は、実施例１の開放状態の拘束部の一部破断平面図である。なお、押当部材４の左先端部分を破断断面として表している。図３を参照し、左右開放保持具９、１０による左右回動アーム５，６の開放機構について説明する。なお、長柄２は点線で示した。長柄２は、押当部材４に穿設した穴４ｅと、長柄２の先端のＹ字形状部とをネジなどの留具で連結固定する。
【００３３】
また、押当部材４は、中空の角材を折り曲げてＵ字形状に成形し、左右回動アーム５、６の一部を収納できるよう、左右回アーム５、６を収納できる長さ分だけ内側面を切断し、左右収納部４ｃ、４ｄを設ける。また、左右回動アーム５、６開放できるよう押当部材４の両端の外側も一部切断する。
【００３４】
左右開放保持具９、１０は、押当部材４の両端のから左右回動アーム５、６の幅よりやや遠い位置に固定された軸９ａ、１０ａを通して、左右Ｌ字板９ｂ、１０ｂがセットされ、左右Ｌ字板９ｂ、１０ｂの下湾曲部９ｇ、１０ｇの下に湾曲板９ｃ、１０ｃが位置するように配置され、湾曲板９ｃ、１０ｃに穿設された孔９ｅ、１０ｅの位置で押当部材４にボルト及びナットなどの留具９ｄ、１０ｄで固定される。
【００３５】
このような板バネのバネ付勢によって、左右回動アーム５、６を確実に押し上げ、確実に拘束部３を開放し、捕獲対象１２を押当部材４に押し当てることが可能となる。
【００３６】
図４は、捕獲・拘束したときの閉鎖状態の実施例１の拘束部の一部破断平面図である。以下、回転アーム解除装置１４により、回転アーム８が解除され、拘束部３を錠１１により環状に連結する過程、説明する。なお、長柄２は点線で示した。
【００３７】
先ず、捕獲対象１２を押当部材４に押し当てると、それに伴い左右回動アーム５、６が、左右回動支持部４ａ、４ｂを支点に回動し、押当部材４の左右収納部４ｃ、４ｄの内面に衝突し、それと同時に、左回動アーム５の外側に突出していた施錠ボタン１４ｃが押し込められる。このとき、左右開放保持具９、１０は、左右回動アーム５、６と押当部材４の間で押しつぶされている。
【００３８】
その施錠ボタン１４ｃの押し込みに連動し、回転アーム８を保持している保持爪５ｂが動作し、左回動アーム５に固定されていた回転アーム８が、左回転アーム５から開放される。
【００３９】
次に、開放された回転アーム８は、バネ付勢などにより回転支持部５ａを支点に回転し、右回動アーム６にある錠本体７に衝突する。衝突することにより、回転アーム８と嵌合する錠本体７に回転アーム８の先端部が固定される。これら一連の動作によって、左回動アーム５、６が回転アーム８によって連結固定され、捕獲対象１２を拘束部３に確実に捕獲・拘束することができる。一点鎖線Ａ−Ａ及びＡ’−Ａ’は、図５の断面位置を表している。
【００４０】
図５は、左右回動支持部の断面図である。左右回動支持部４ａ、４ｂとは、押当部材４の内側に収納される左右回動アーム５、６の略中央位置の孔に、円柱軸４ｆを挿通し、円柱軸４ｆの両端から押当部材４、リング４ｈ、ワッシャー４ｉを挟み、ネジ４ｇなどで回動可能に取り付けた部分をいう。なお、一点鎖線で軸９ａ、１０ａを、点線でＬ字板９ｂ、１０ｂを表し、左右回動支持部４ａ、４ｂと左右開放保持具９、１０の位置関係を示した。
【００４１】
図６は、右回動アームの先端部及び鍵の斜視図である。図６（Ａ）は、右回動アーム６の先端部の斜視図であり、図６（Ｂ）は、鍵１３の一例である。
【００４２】
錠本体７は、中空の右回動アーム６の先端部に留具６ｆなどで取り付けられている。右回動アーム６の先端部には、回転アーム８の先端部が衝突する位置に窪んだ切込部６ｃが設けられ、切込部６ｃの形状と同様の形状の錠本体７の切込部７ｒが位置する。
【００４３】
また、鍵１３は、右回動アーム６に、鍵１３の凸部１３ａが挿入できるように設けた鍵穴６ａに挿入し、鍵１３を回転することにより、錠１１の施錠を解除する。なお、鍵穴６ａには、右回動アーム６に取り付けた鍵受け６ｂがあり、その鍵受け６ｂに鍵１３の孔１３ｂを合わせて、鍵１３を挿入する。
【００４４】
図７は、図６の一点鎖線矢印Ａ’方向から見た錠本体の平面図である。錠本体７は、ケース７ａと、昇降部７ｂと、スライド部７ｃからなる。錠本体７は、右回動アーム６の先端付近の内部に、右回動アーム６の外側からケース７ａの孔７ｑにネジなどの留具６ｆを通し固定される。
【００４５】
昇降部７ｂは、錠１１の施錠時に回転アーム８が衝突する昇降板７ｅによって、拘束部３が捕獲前の開放状態であるときは、バネ７ｄのバネ付勢に押し上げられ、後述のスライド板７ｆのスライドを留め置き、施錠時には回転アーム８が衝突し、軸７ｈを支点に回動し、下降しスライド板７ｆをスライドさせる機能を有する。
【００４６】
スライド部７ｃは、回転アーム８が昇降板７ｅに衝突を契機に、バネ７ｇのバネ付勢により、スライド板７ｆが図７右から左にスライドし、回転アーム８先端部を切込部７ｒに閉じ込める機能を有する。なお、バネ７ｇは、ケース７ａにネジ７ｎなどで固定された横軸７ｍに挿通し、また、スライド板７ｆのスライドする位置が一定になるよう、ケース７ａに取り付けたピン７ｏ、７ｐなどでガイドする。
【００４７】
図８は、施錠・施錠解除時の錠本体の動作を示す断面図である。図８（Ａ）は、施錠前の断面図である。図８（Ｂ）は、回転アーム８が衝突することによって、おこる錠本体７の動作を示す図である。図８（Ｃ）は、施錠後、回転アーム８を切込部７ｒに閉じ込めたときの様子を示した図である。
【００４８】
錠本体７は、ケース７ａと、ケース７ａに取り付けられた昇降部７ｂと及びスライド部７ｃからなる。
【００４９】
ケース７ａは、図８では上面と、左側が開放しており、内部に昇降部７ｂとスライド部７ｃを収納し、右回動アーム６のほぼ先端の内部に、右回動アーム６の切込部６ｃとケース７ａの切込部７ｒの位置が一致するように、右回動アーム６の外側からネジなどの留具６ｆで固定される。
【００５０】
昇降部７ｂは、ケース７ａの孔７ｓに挿通した軸７ｈと、軸７ｈに回動可能に取り付けられた先端がＬ字形状の昇降板７ｅと、昇降板７ｅに穿設された孔７ｉに挿通し、ケース７ａにネジなど留具７ｋで係止され、ケース７ａの底面からほぼ垂直に起立した柱７ｊと、柱７ｊに挿通し、ケース７ａと昇降板７ｅに挟まれるコイルバネ７ｄからなる。
【００５１】
なお、昇降板７ｅのＬ字形状の先端の起立部７ｕは、右回動アーム６の内面に接する長さとし、バネ付勢がかかっても右回動アーム６の切込部６ｃから飛び出ることなく、右回動アーム６の内面に係止するようにする。また、バネ７ｄが孔７ｉに入り込まないようバネ７ｄと昇降板７ｅの間に、リング７ｔを配置するとよい。
【００５２】
スライド部７ｃは、一端がＬ字形状になりその先端部に孔７ｌが穿設され、他端は鍵１３が回転したとき、凸部１３ａが係るよう屈曲したスライド板７ｆと、孔７ｌに挿通し、ネジ７ｎでケース７ａの側面にスライド板７ｆとほぼ平行に取り付けられた横軸７ｍと、横軸７ｍに挿通し、ケース７ａと孔７ｌが穿設されたＬ字形状部に挟まれバネ７ｇとからなる。また、バネ７ｇが孔７ｌに入り込まないようバネ７ｇとスライド板７ｆの間に、リングを配置するとよい。
【００５３】
なお、ここで示す、スライド板７ｆは、一枚の板から成形したため、折り曲げられているが、屈曲部がある面に、孔７ｌを有する板をほぼ垂直に取り付けてもよい。また、スライド板７ｆがぐらつく場合には、ケース７ａに挿通するピン７ｏ、７ｐで保持し、ガイドするとよい。
【００５４】
なお、右回動アーム６の内部には、鍵受け６ｂが取り付けられ、鍵１３の凸部１３ａが過剰回転しないよう留具６ｅでストッパ６ｄが取り付けられている。
【００５５】
図８（Ａ）に示すように、施錠前の錠本体７の昇降部７ｂは、軸７ｈに回動可能に取り付けられたＬ字形状の昇降板７ｅの起立部７ｕの先端が、バネ７ｄのバネ付勢により、右回動アーム６に内壁に接し、係止した状態にある。
【００５６】
このとき、施錠前の錠本体７のスライド部７ｃは、ケース７ａに挿通したピン７ｏ、７ｐの上部にスライド板７ｆが位置し、昇降板７ｅの起立部７ｕによって係止されている。
また、スライド板７ｆの孔７ｌを挿通する横軸７ｍを挿通するバネ７ｇは、ケース７ａとスライド板７ｆのＬ字部に挟まれ収縮している。従って、切込部６ｃ、７ｒの上方は開放している。
【００５７】
次に、図８（Ｂ）に示すように、点線示した回転アーム８が、捕獲時の施錠ボタン１４ｃの動作に連動し、保持爪５ｂから開放され、回転アーム８の先端部にあるローラー８ａが、白抜き矢印方向から昇降板７ｅに衝突する。これにより、昇降板７ｅがバネ７ｄを縮め下に押し込まれ、バネ７ｇのバネ付勢により、昇降板７ｅの起立部７ｕにより係止されていたスライド板７ｆが図上右から左にスライド（白抜き矢印）する。この一連の動作によって図８（Ｃ）のように回転アーム８が切込部７ｒ、６ｃへ閉じ込められ、回転アーム８によって左右回動アーム５、６が連結され、拘束部３が環状に施錠される。
【００５８】
図８（Ｃ）に示すように、施錠後に施錠を解除するには、白抜き矢印が示すように、鍵１３を鍵穴６ａ、鍵受け６ｂに嵌め、一点鎖線矢印方向に回転させることで、鍵１３の凸部１３ａがスライド板７ｆの屈曲部に係り、スライド板７ｆがバネ７ｇを縮めながらスライドさせることができる。
【００５９】
これにより、バネ７ｄのバネ付勢により昇降板７ｅが上昇し、起立部７ｕが図８（Ａ）に示すように、右回動アーム６の内面に接し、スライド板７ｆを図８（Ａ）の位置で係止し、回転アーム８のローラー８ａを切込部７ｒ、６ｃから開放することができる。これにより、拘束部３の拘束が解除され、捕獲対象を本発明である開閉式刺股１から開放することができる。なお、ストッパ６ｄによって、鍵１３の過剰回転が防止される。
【００６０】
図９は、回転体を取り付けた左回動アームの斜視図である。回転体８ｊは、左右回動アーム５、６を連結固定する回転アーム８と、回転アーム８の回転源である張力部８ｉよりなる。回転アーム８は、左右回転板８ｂ、８ｃと、左右回転板８ｂ、８ｃの一端の間にネジなどの留具８ｄとローラー軸８ｋで回転可能に取り付けられたローラー８ａと、他端を左回動アーム５へネジなどの留具８ｅで回転可能に取り付けられる回転支持部５ａからなる。
【００６１】
また、左回動アーム５には、ローラー８ａを係止し、回転アーム８の回転を留め置く鈎状の保持爪５ｂが動作する長孔５ｃが設けられている。また、押当部材４の先端外側には左回動アーム５が外側に開放することができるよう切り取られた凹部４ｊがある。
【００６２】
図１０は、図９の一点鎖線矢印Ａ’方向から見た平面図である。図１０を参照して、回転アーム８の左回動アーム５への取り付け方法を説明する。回転支持部５ａは、張力部８ｉの一端を構成するワイヤ５ｆと連結固定する孔８ｈを有し、左回動アーム５の所定の位置に挿通する円柱状の回転軸８ｆと、左右回転板８ｂ、８ｃと左回動アーム５の外側との間に位置し、回転を補助する左右のリング８ｇ、８ｇと、回転軸８ｆを回転可能に係止するネジなどの左右の留具８ｅ、８ｅからなる。
【００６３】
なお、張力部８ｉは、固定具５ｇで、長孔５ｃと対象の位置に他端が固定される。また、保持爪５ｂは、留具５ｄの位置で前後に回動可能に取り付けられる。
【００６４】
図１１は、回転アームの動作を示す断面図である。なお、回転アーム８を点線で示した。図１１（Ａ）は、施錠前の回転アーム８の状態を表し、図１１（B）は、施錠時の回転アーム８の回転開始時を表している。
【００６５】
左回動アーム５の内部にある張力部８ｉは、一端が回転軸８ｆに連結したワイヤ５ｆと、ワイヤ５ｆの他端に連結する引張りコイルバネ５ｉなどの弾性体とからなる。バネ５ｉの他端は、ボルト、ナットなどの固定具５ｇで固定する。ワイヤ５ｆとバネ５ｉを連結するには、ワイヤ５ｆの末端をバンド５ｈなどで結束し、バネ５ｉを引っ掛ければよい。
【００６６】
図１１（Ａ）に示すように、ワイヤ５ｆの端部は、施錠する前では、回転軸８ｆに巻き付けられた状態にある。この状態で、回転アーム８のローラー８ａを保持爪５ｂが係止している。なお、保持爪５ｂが前後に回動できるようするため、及び張力部８ｉを左回動アーム５の内部に装着するため、左回動アーム５に長孔５ｃを設ける。
【００６７】
また、図１１（Ｂ）に示すように、施錠ボタン１４ｃの動作に連動し、ワイヤ５ｎが矢印方向に引かれ、保持爪５ｂがローラー８ａの係止を解除すると、バネ５ｉが収縮して、ワイヤ５ｆを引き、さらに回転軸８ｆが回転し、それに伴って、回転軸８ｆに固定される回転アーム８が回転し、ローラー８ａが錠本体７の昇降板７ｅに衝突し、左右回動アーム５、６を連結し、拘束部３を環状に施錠することができる。なお、一点鎖線で示した回転アーム８は、施錠時の位置を表す。
【００６８】
ここで、回転アーム解除装置１４を構成する回転アーム８を保持する保持部１４ｏについて説明する。保持部１４ｏは、左回動アーム５に留具５ｌなどで固定されたケース５ｊと、ケース５ｊに回転可能に取り付け、バネ５ｏなどのバネ付勢により、回転アーム８のローラー８ａを係止する、先端が鈎状な略Ｌ字形状の保持爪５ｂからなる。
【００６９】
保持爪５ｂは、ケース５ｊを挿通する軸５ｋに挿通し、回動可能に取り付けられる。また、軸５ｋに挿通した捻りコイルバネ５ｏの一端は、ケース５ｊに接触し、他端は保持爪５ｂに設けられた穴５ｐに係止される。これにより、常にローラー８ａを係止する位置にバネ５ｏのバネ付勢が加わる。
【００７０】
さらに、施錠ボタン１４ｃの動作に連動するように、保持爪５ｂの略末端上部に穿設された穴５ｍにワイヤ５ｎが連結されている。これにより、ワイヤ５ｎが引かれると、保持爪５ｂが軸５ｋを支点に回動し、ローラー８ａを開放する。なお、ワイヤ５ｎの張力を確実に作用させるため、ワイヤ５ｎはケース５ｊの側面底部に設けられた穴５ｑを通すとよい。
【００７１】
このようにして回転アーム８は、バネ５ｉの張力により回転することとなる。なお、ここで示した回転アーム８の回転方法は、一例であるので、捕獲対象１２の衝突に連動して、回転アーム８が回転始動する機構であれば、どのような機構を採用してもよい。
【００７２】
図１２は、回転アーム解除装置の断面図である。次に、回転アーム解除装置１４について説明する。回転アーム解除装置１４は、回転アーム８を施錠前に保持している保持部１４ｏと、回転アーム８を解除する契機となるシグナルを発生させるスイッチ部１４ｎと、スイッチ部１４ｎと保持部１４ｏを連結するワイヤ５ｎとからなる。
【００７３】
図１２（Ａ）は、左回動アーム５の先端部及び保持部１４ｏの断面図であり、施錠前のワイヤ５ｎは点線で、施錠開始時のワイヤ５ｎは一点鎖線で示した。図１２（Ｂ）は、捕獲対象１２を捕獲する前の拘束部３が開放しているときの、左回動アーム５の末端部及びスイッチ部１４ｎの断面図である。図１２（Ｃ）は、捕獲対象１２を捕獲するとき、捕獲対象が押当部材４に衝突することに連動し、施錠ボタン１４ｃが押し込まれたときの、左回動アーム５の末端部及びスイッチ部１４ｎの断面図である。
【００７４】
なお、捕獲対象１２を捕獲する前の、拘束部３が開放しているときの様子は、図１２（Ａ）の実線で示した保持爪５ｂと図１２（Ｂ）の組み合わせである。
【００７５】
保持部１４ｏは上述した通りであり、スイッチ部１４ｎは、左回動アーム５の内部に設置される枠体１４ｅと、枠体１４ｅに回動可能に取り付け、バネ１４ｈなどのバネ付勢により、左回動アーム５の外側（押当部材４の内側方法）に突出した施錠ボタン１４ｃを回動可能に連結する突起１４ｂを有する楕円状の円盤である回転体１４ａと、前記施錠ボタン１４ｃが作動するときのガイドとなる穴５ｕが設けられ、左回動アーム５に穿設され、施錠ボタン１４ｃの突出孔である穴５ｒを覆うように左回動アーム５にネジなどの留具５ｔで固定された保持板５ｓと、前記枠体１４ｅを固定し、枠体１４ｅの設置位置を微調整することができる調節部１４ｐとからなる。
【００７６】
回転体１４ａは、枠体１４ｅを挿通する軸１４ｄに挿通し、回動可能に取り付ける。また、軸１４ｄに挿通した捻りコイルバネ１４ｈの一端を枠体１４ｅの側面板に設けられた穴１４ｊに差込み、他端を回転体１４ａに設けられた窪み１４ｉに係止させる。これにより、拘束部３が開放状態のとき、常に施錠ボタン１４ｃが左回動アーム５から押当部材４方向に突出するようにバネ１４ｈのバネ付勢が加わる。
【００７７】
調節部１４ｐは、左回動アーム５の末端部にネジなどの留具１４ｌで固定された固定部材１４ｋ（ここではコの字形状）と、固定部材１４ｋと枠体１４ｅとを連結する調節ネジ１４ｍからなる。調節ネジ１４ｍを締めたり、緩めたりすることでワイヤ５ｎのテンションを調節することができる。この調節部１４ｐを設けることで、スイッチ部１４ｎの設置位置に大きな注意を要しなくてよくなる。
【００７８】
さらに、施錠ボタン１４ｃの動作を保持爪５ｂに伝達するように、回転体１４ａにワイヤ５ｎを引ける位置に設けられた穴１４ｇにワイヤ５ｎを連結される。これにより、図１２（Ｃ）に示したように、捕獲対象を押当部材４に押し当てると、左右回動アーム５、６が、押当部材４の左右収納部４ｃ、４ｄに衝突すると同時に、施錠ボタン１４ｃが左回動アーム５の内部に押し込まれ、回転体１４ａが軸１４ｄを支点に回動し、ワイヤ５ｎが引かれる。
【００７９】
その結果、図１２（Ａ）に一点鎖線で示した保持爪５ｂの位置に保持爪５ｂが軸５ｋを支点に後方に回動し、ローラー８ａを開放し、回転アーム８が回転し、ローラー８ａが錠本体７の昇降板７ｅに衝突し、施錠することができることとなる。なお、ワイヤ５ｎの張力を確実に作用させるため、ワイヤ５ｎは、穴１４ｇと距離が最大になるよう、枠体１４ｅの側面位置に設けられた穴１４ｆを通すとよい。
【００８０】
このようにしてなる開閉式刺股１は、捕獲と同時に回転アーム解除装置１４が作動し、回転アーム８が回転し、錠１１が施錠され、左右回動アーム５、４を回転アーム８により確実に強固に連結することができ、確実に捕獲対象１２ａを捕獲することができる点、従来の刺股より優れている。
【実施例２】
【００８１】
図１３は、本発明である開閉式刺股の第２の実施例の平面図である。開閉式刺股１ａは、手で握る筒状の長柄２ａと、前記長柄２ａの先端に取り付けられたＵ字形状の押当部材１６及び前記押当部材１６の両端に回動可能に取り付けられた湾曲状の左右回動アーム５、６よりなる拘束部３ａと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、小刺股１５とからなる。
【００８２】
このようにしてなる開閉式刺股１ａは、捕獲前は前記左右回動アーム５、６がバネ付勢により開放され、前記拘束部３ａが環状に施錠されたのちは、前記小刺股１５を捕獲対象１２ａに向け押し込むことによって、捕獲対象１２ａが前記拘束部３ａから脱出できないことを特徴とする。
【００８３】
小刺股１５は、捕獲対象１２ａを押し込み、施錠後、捕獲対象１２ａが拘束部３ａから脱出するのを阻止する弧状の押込部１５ａと、押込部１５ａに連結し、長柄２ａ内部に挿通する柄１５ｂと、柄１５ｂに手で握ることができる脱着可能に取り付けられたレバー１５ｃからなる。
【００８４】
従って、長柄２ａは、小刺股１５を内部に挿通することから筒状である。また、小刺股１５を捕獲対象１２ａに押し込むためのレバー１５ｃが前後に移動できるよう長孔２ｂが設ける。
【００８５】
なお、長柄２ａの先端を図１３のようにＹ字形状にすることで、長柄２ａと拘束部３ａの連結部位の強度が増すためより望ましい。また、長柄２ａと拘束部３ａの連結部位の強度を保つことができれば、長柄２ａ先端を棒状にし、拘束部３ａに長柄２ａを直結しても構わない。
【００８６】
拘束部３ａは、小刺股１５を挿通させるため、押当部材４の長柄２ａの延長上に穴１６ａが穿設されている押当部材１６を取り付けた以外は、実施例１の拘束部３と同様である。また、左右開放保持具９、１０、錠１１、捕獲対象１２ａ、回転アーム解除装置１４も実施例１と同様である。
【００８７】
図１４は、捕獲・拘束したときの閉鎖状態の実施例２の拘束部の一部破断平面図である。捕獲対象１２ａを押当部材１６に押し当てると、それに伴い左右回動アーム５、６が、左右回動支持部４ａ、４ｂを支点に回動し、押当部材１６の左右収納部４ｃ、４ｄの内面に衝突し、それと同時に左回動アーム５の外側に突出していた施錠ボタン１４ｃが押し込められる。
【００８８】
このとき、左右開放保持具９、１０は、左右回動アーム５、６と押当部材１６の間で押しつぶされている。その施錠ボタン１４ｃの押し込みに連動し、回転アーム８を保持している保持爪５ｂが動作（回動）し、回転アーム８を開放する。
【００８９】
その後、捕獲者が、レバー１５ｃを素早く、強く捕獲対象１２ａの方向に向かって押し込むと、小刺股１５の柄１５ｂが長柄２ａの内部をスライドし、押込部１５ａが捕獲対象１２ａに押し当てられ、捕獲対象１２ａは、押込部１５ａと左右回動アーム５、６との間に挟みこまれる。これによって、細い捕獲対象１２ａであっても、確実に拘束捕獲することができることなる。
【００９０】
このようにしてなる開閉式刺股１ａは、捕獲対象１２ａが細身であったり、腕、足などの細い部分を拘束した場合であっても、瞬時に小刺股１５できつく拘束することができることから、捕獲対象の大きさに制限されることなく、確実に捕獲対象１２ａを捕獲することができる点、実施例１の開閉式刺股１より優れている。
【実施例３】
【００９１】
図１５は、本発明である開閉式刺股の第３の実施例の平面図である。開閉式刺股１ｂは、手で握る筒状の長柄２ｃと、前記長柄２ｃの先端に取り付けられたＵ字形状の押当部材１６及び前記押当部材１６の両端に回動可能に取り付けられた湾曲状の左右回動アーム５、６よりなる拘束部３ａと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ｃの内部に設置される柄１７ｂ及び前記柄１７ｂの先端に取りけられた弧状の押込部１７ａよりなる小刺股１７と、前記小刺股１７をギア式に繰り出す押込装置１８と、前記小刺股１７をバネ１９ｂの収縮により元の位置に戻す押込戻装置１９とからなる。なお、拘束部３ａ、左右開放保持具９、１０、錠１１、捕獲対象１２ａ回転アーム解除装置１４は実施例２で説明した通りである。
【００９２】
このようなしてなる開閉式刺股１ｂは、捕獲前は前記左右回動アーム５、６がバネ付勢により開放され、前記拘束部３ａが環状に施錠されたのちは、前記小刺股１７を捕獲対象１２ａに向けギア式で押し込むことによって、捕獲対象１２ａが前記拘束部３ａから脱出できないことを特徴とする。
【００９３】
図１６は、実施例３を構成する小刺股の斜視図である。小刺股１７は、捕獲対象１２ａを押し込み、施錠後、捕獲対象１２ａが拘束部３ａから脱出するのを阻止する弧状の押込部１７ａと、押込部１７ａに連結し、長柄２ｃ内部に挿通する柄１７ｂとからなり、柄１７ｂの一面には、ギアが咬み込む溝１７ｃが複数、設けられている。また、柄１７ｂの略末端内部には、押込戻装置１９を構成するバネ１９ｂが、穴１７ｄに取りけられた軸に係止されている。
【００９４】
図１７は、押込装置の側面図である。図１８は、押込装置の一部分解平面図である。図１９は、押込装置の側面断面図（図１８の一点鎖線Ａ’位置）である。
【００９５】
押込装置１８は、長柄２ｃの内部にある小刺股１７を捕獲対象１２ａに押し込むために、手で前後運動させるハンドル１８ａと、長柄２ｃにネジなどの留具１８ｄで取り付けられ、ネジなどの留具１８ｅで連結された左右カバー１８ｂ、１８ｃに覆われ、小刺股１７の柄１７ｂを捕獲対象１２ａにギア式に押し込む機能を有するギア装置２１と、捕獲対象１２、１２ａから小刺股１７の柄１７ｂが押し戻されないようにするストッパー２２と、ハンドル１８ａの前後動作をギア装置２１に伝える嵌合部材２３と、押し込んだ小刺股１７を元の位置に戻す契機となる押込解除装置２４からなる。
【００９６】
ハンドル１８ａは、ギア装置２１を挟むようにギア装置２１に連結できるよう先端が二股に分岐した略Ｙ字形状で、先端が左右カバー１８ｂ、１８ｃから突出し、ギア装置２１の軸２１ｇに連結した他端部を支点に手で前後に動かすことができる。
【００９７】
ギア装置２１は、左右カバー１８ｂ、１８ｃの長孔１８ｆ部にリング２１ｊを挟みネジなどの留具２１ｈで上下可動に取り付けられた軸２１ｇと、軸２１ｇを挿通し、長柄２ｃの長孔２ｄから一部長柄２ｃの内部に陥入し、小刺股１７に設けられた溝１７ｃと咬み合い、後述の嵌合部材２３を受ける孔２１ｂが円形に穿設された歯車２１ａと、歯車２１ａの一方面に接するように配置された弾力性のあるゴム、シリコンなどのリング２１ｃと、歯車２１ａとリング２１ｃの左右に順次、接するように配置されたリング２１ｄ、リング２１ｅと、ハンドル１８ａを挟み、２〜３枚程度のリング２１ｆとからなる。
【００９８】
リング２１ｃがあることで、ハンドル１８ａと歯車２１ａとの間に配置された、リング２１ｄ、２１ｅ及びリング２１ｆを隙間なく配置することができ、ストッパー２２が歯車２１ａに噛むときは、ハンドル１８ａは前方に滑り、嵌合部材２３が歯車２１ａに咬み合っているときは、ハンドル１８ａを後方に引くことにより、歯車２１ａも回転し、小刺股１７を前方に送り出すことができる。
【００９９】
なお、図１９に示すように、小刺股１７直径が長柄２ｃの内径より、小さく、長柄２ｃ内部で暴れてしまう場合には、押込装置１８を挟むように長柄２ｃに、小刺股１７が隙間なく貫通するように設けられた、長柄２ｃと同形状の孔２０ａを有するガイド２０、２０を留具２０ｂで固定し、設ける必要がある。
【０１００】
歯車２１ａと小刺股１７の溝１７ｃとが離れ、咬み合わさなくなり、小刺股１７が押し戻されてしまい、捕獲対象１２ａが環状の拘束部３ａから脱出してしまうからである。ガイド２０を設けることで、確実に歯車２１ａと小刺股１７の溝１７ｃがかみ合い、小刺股１７が押し戻されることが無くなる。
【０１０１】
押込解除装置２４は、左カバー１８ｂの内面に設けられた係止部２４ｄ及び係止部２４ｅを貫通し、軸２１ｇより上方で、ハンドル１８ａ（先端）より外側に位置し、リング２１ｆと接する棒状の左上保持バネ２４ａと、右カバー１８ｃの内面に設けられた係止部２４ｄ及び係止部２４ｅを貫通し、軸２１ｇより上方で、ハンドル１８ａ（先端）より外側に位置し、リング２１ｆと接する棒状の右上保持バネ２４ｂとからなる。
【０１０２】
通常は、左右上保持バネ２４ａ、２４ｂのバネ付勢が、リング２１ｆを下方向、つまり歯車２１ａが小刺股１７と噛み合う方向に作用し、ギア装置２１及びハンドル１８ａによって、小刺股１７を捕獲対象１２ａに向けて押し込むことを可能にする。
【０１０３】
小刺股１７による捕獲対象１２ａの押し込みを解除するときは、ハンドル１８ａを手で握り、上方に引き上げ、ギア装置２１を上方に移動させることで、小刺股１７と歯車２１ａの噛み合わせが解除され、小刺股１７を押し戻すことが可能になる。
【０１０４】
なお、下保持バネ２４ｃは、左右カバー１８ｂ、１８ｃの内側に設けられた係止部２４ｆを貫通し、軸２１ｇより下方で、ハンドル１８ａ（先端）より外側に位置し、リング２１ｆと接するコの字形状のバネである。下保持バネ２４ｃのバネ付勢により、常時ハンドル１８ａを左右カバー１８ｂ、１８ｃの連結部より僅かに浮かせた状態に保持する。
【０１０５】
ハンドル１８ａが常時戻された状態で保持されることにより、後述する拘束部開放装置３４において、ハンドル１８ａと、長柄２ｃを同時に手で握ると、瞬時に小刺股１７ｅが先端方向に少し送り出され、拘束部３ｂが開放することとなる。これにより、拘束部の開放が容易、且つ確実であり、捕獲対象１２ａの捕獲タイミングを逸することがない。
【０１０６】
図２０は、ストッパー取り付け部の拡大断面図である。ストッパー２２は、左右カバー１８ｂ、１８ｃに固定された軸２２ｃと、軸２２ｃに回動可能に取り付けた止板２２ａと、軸２２ｃに挿通された捻りコイルバネなどのバネ２２ｂからなり、バネの一端は、歯車２１ａに接し、他端は、左右カバー１８ｂ、１８ｃが留具１８ｅで連結された連結部に係止され、止板２２ａを歯車２１ａ方向に常にバネ付勢を作用させる。
【０１０７】
図２０（Ａ）は、ストッパー２２により、歯車２１ａが小刺股１７を押し戻される方向に回動しないように、止めている様子を示している。図２０（Ｂ）は、小刺股１７が捕獲対象１２ａに押し込まれているとき、ストッパー２２が歯車２１ａの回動に作用していない様子を示している。
【０１０８】
図２０（Ａ）に示すように、通常は、バネ２２ｂのバネ付勢で、止板２２ａが歯車２１ａの歯２１ｉに掛かり、小刺股１７が押し戻される方向（図面下方）に歯車２１ａが回動できない。一方、図２０（Ｂ）に示すように、歯車２１ａが矢印Ａ’方向に回動するとき、即ち小刺股１７を捕獲対象１２ａ方向に押し込むとき、歯２１ｉによって、止板２２ａが矢印Ｂ’に回動し、ストッパー２２は歯車２１ａの回動に何ら作用しない。なお、図示するように、止板２２ａは屈曲させるとより、確実に歯２１ｉに掛かる。
【０１０９】
図２１は、嵌合部材の説明図である。嵌合部材２３は、ハンドル１８ａに取り付けられた（ハンドル１８ａに対する垂直方向より、やや斜め）左右の固定板２３ａ、２３ａと、左右の固定板２３ａ、２３ａにネジなどの留具２３ｅによって固定された軸２３ｂと、軸２３ｂに回動可能に取り付けられた爪２３ｃと、爪２３ｃを歯車２１ａに設けられた孔２１ｂに押しつけるバネ２３ｄからなる。
【０１１０】
図２１（Ａ）は、歯車２１ａ方向から見たときのハンドル１８ａに取り付けられた嵌合部材２３の正面図である。図２１（Ｂ）は、ハンドル１８ａに取り付けられた嵌合部材２３の側面図である。図２１（Ｃ）は、ハンドル１８ａを操作し（手前）、小刺股１７を捕獲対象１２ａに押し込むとき、爪２３ｃが歯車２１ａに咬み込んでいる様子を示した嵌合部材２３の側面断面図である。図２１（Ｄ）は、ハンドル１８ａを拘束部３ａ方向に移動するときの嵌合部材２３の動作を示す側面断面図である。
【０１１１】
爪２３ｃの先端部２３ｆは、孔２１ｂに接する面と、孔２１ｂの縁で爪２３ｃを孔２１ｂから押し上げる緩斜面がある。先端部２３ｆが歯車２１ａの孔２１ｂに嵌入し、ハンドル１８ａを手前に引くと、ハンドル１８ａとともに、歯車２１ａを手前に回動させる。その結果、小刺股１７を拘束部３ａ方向に押しだすこととなる。
【０１１２】
バネ２３ｄは、一端がハンドル１８ａの縁に係止され、嵌合部材２３が取り付けられているハンドル１８ａ面と反対側から軸２３ｂの歯車２１ａ側を通し、先端が爪２３ｃの背に通す、略コの字形状であり、バネ付勢により常に、爪２３ｃの先端部２３ｆを歯車２１ａに押し当てる。
【０１１３】
図２２は、押込手段を説明する断面図である。図２２に示すように、拘束部３方向に位置するハンドル１８ａを矢印Ａ’方向に回動させると、嵌合部材２３の爪２３ｃがバネ付勢により、歯車２１ａの孔２１ｂに陥入していることから、ハンドル１８ａの回転とともに、歯車２１ａがハンドル１８ａとともに矢印Ａ’方向に回動する。
【０１１４】
このとき、歯車２１ａの歯２１ｉは、歯車２１ａの回動に伴って、ストッパー２２の止板２２ａを矢印Ｂ’方向に押し上げ、ストッパー２２は、矢印Ａ’方向への歯車２１ａの回動を制止することはない。
【０１１５】
歯車２１ａが回動すると、同時に歯車２１ａの歯２１ｉは、小刺股１７の溝１７ｃと噛み合いながら、小刺股１７を拘束部３ａ方向に送り出す。一方、小刺股１７を捕獲対象１２ａが押し返そうとしても、ストッパー２２の止板２２ａによって、歯車２１ａがＡ’と逆方向に回動することは制止され、一端送り出された小刺股１７は押し返されることがない。
【０１１６】
図２３は、ガイドの説明図である。図２３（Ａ）は側面断面図であり、図２３（Ｂ）は図２３（Ａ）の一点鎖線Ａ’位置での断面図である。ガイド２０が設置される長柄２ｃ及び、ガイド２０を長柄２ｃに固定するネジなどの留具２０ｂは点線で、ガイド２０の孔２０ａに挿通する柄１７ｂは破線で示した。ガイド２０は、長柄２ｃの内部に設置され、孔２０ａに挿通する小刺股１７の柄１７ｂがぐらつくのを防止する。
【０１１７】
図２４は、押し込み解除機構を説明する断面図である。押込装置１８による小刺股１７の押し込みを解除する押し込み解除機構は、先ず、ハンドル１８ａを手で図面２４の白抜き矢印方向に引き上げ、ギア装置２１全体が、長孔１８ｆをスライドし、持ち上げる。
【０１１８】
これにより、左右上保持バネ２４ａ、２４ｂのバネ付勢によって、下方にギア装置２１が押しつけられ、小刺股１７の溝１７ｃに噛み合っていた歯２１ｉが、小刺股１７の溝１７ｃから離れ、小刺股１７を拘束部３ａ方向から長柄２ｃ末端方向に向け、押し返すことができるようになる。
【０１１９】
図２５は、押込戻装置の説明図である。図２５（Ａ）は、押し込み前の小刺股１７の位置を表している。図２５（Ｂ）は、拘束部３ａ方向に押し込まれている小刺股１７を表している。
【０１２０】
押込戻装置１９は、図２５に示すように、小刺股１７の柄１７ｂの末端付近の内部にネジなどの留具１９ｆで取り付けられた軸１９ｅと、軸１９ｅに一端が係止されたバネ１９ｂと、バネ１９ｂの他端を係止するネジなどの留具１９ｃで取り付けられた係止部材１９ｇが取り付けられ、長柄２ｃの末端にネジなどの留具１９ｄで固定された底蓋１９ａからなる。
【０１２１】
図２５（Ｂ）に示したように、ハンドル１８ａを前後に操作することにより、歯車２１ａが図２２Ａ’方向に回動し、歯車２１ａの回動により、小刺股１７の柄１７ｂが拘束部３ａ方向に送りだされる。これにより、バネ１９ｂは伸張する。
【０１２２】
小刺股１７が送り出された状態で、図２４に示すように、白矢印方向にハンドル１８ａを引き上げ、ギア装置２１を持ち上げることで、歯２１ｉが溝１７ｃｄから離れると同時に、バネ１９ｂの収縮力により、自動で小刺股１７が元の位置（図２５（Ａ））に引き戻される。
【０１２３】
押込装置１８、押込戻装置１９を設けてなる開閉式刺股１ｃは、押込装置１８により、力がない捕獲者であっても、捕獲対象１２ａの抵抗に対して押し戻されることなく、容易に小刺股１７で押し込むことができ、押込戻装置１９により、一端押し込んだ小刺股１７を容易且つ瞬時に元の位置に戻すことができ、次回の開閉式刺股１ｂを使用するに際し、捕獲対象１２ａを目の前に、小刺股１７を元の位置に戻す必要がなく、便宜且つ確実に小刺股１７を所定の位置に留め、捕獲対象１２ａを小刺股１７の設置位置の問題により取り逃がすことが無くなる。従って、このようにしてなる開閉式刺股１ｂは、実施例２の開閉式刺股１ａより優れている。
【実施例４】
【０１２４】
図２６は、本発明である開閉式刺股の第４の実施例である。開閉式刺股１ｃは、手で握る筒状の長柄２ｃと、前記長柄２ｃの先端に取り付けられたＵ字形状の押当部材２５及び前記押当部材２５の両端に回動可能に取り付けられた湾曲状の左右回動アーム５、６よりなる拘束部３ｂと、前記左右回動アーム５、６の何れか一方の先端部に回転可能に取りけられた回転アーム８を有する錠１１と、捕獲対象１２ａの捕獲に連動し前記回転アーム８の回転を解除する回転アーム解除装置１４と、前記長柄２ｃの内部に設置される柄１７ｂ及び前記柄１７ｂの先端に取りけられた弧状の押込部１７ａよりなる小刺股１７ｅと、前記小刺股１７ｅをギア式に繰り出す押込装置１８と、前記小刺股１７ｅをバネ収縮により元の位置に戻す押込戻装置１９と、前記拘束部３ｂの押当部材２５内に取り付けられ、前記拘束部を自動で開放する拘束部開放装置３４とからなる。
【０１２５】
なお、長柄２ｃ、左右開放保持具９、１０、錠１１、捕獲対象１２ａ、回転アーム解除装置１４、押込装置１８、押込戻装置１９は、実施例２及び実施例３で説明した通りである。なお、拘束部３ｂは、実施例２の拘束部３ａの押当部材１６の内部に拘束部開放装置３４を取り付けた以外は、変わらない。
【０１２６】
つまり、実施例４の開閉式刺股１ｃは、実施例３の開閉式刺股１ｂの押当部材１６内部（点線で示した付近）に拘束部開放装置３４を取り付け、小刺股１７に替え、拘束部開放装置３４の動作を制御する小刺股１７ｅを備えたものである。
【０１２７】
このようにしてなる開閉式刺股１ｃは、捕獲前は前記拘束部３ｂが閉鎖状態であっても、自動で前記左右回動アーム５、６がバネ付勢により開放され、前記拘束部３ｂが環状に施錠されたのちは、前記小刺股１７ｅを捕獲対象１２ａに向けギア式で押し込むことによって、捕獲対象１２ａが前記拘束部３ｂから脱出できないことを特徴とする。
【０１２８】
図２７は、拘束部開放装置を取り付けた拘束部の平面図である。図２７の一点鎖線で囲まれた拘束部開放装置３４は、点線で示した押当部材２５内部に取り付けられた左拘束部開放装置２６と、右拘束部開放装置３０とからなる。
【０１２９】
左拘束部開放装置２６は、未使用時には、左回動アーム５を押当部材２５に収納・保持する閉鎖保持部２７と、小刺股１７が送りだされたことに連動して、拘束部３ｂを開放するように作動する閉鎖解除部２８と、閉鎖解除部２８の解除の動作を閉鎖保持部２７に伝達し、接続するピアノ線２９とからなる。
【０１３０】
右拘束部開放装置３０は、未使用時には、右回動アーム６を押当部材２５に収納・保持する閉鎖保持部３１と、小刺股１７が送りだされたことに連動して、拘束部３ｂを開放するように作動する閉鎖解除部３２と、閉鎖解除部３２の解除の動作を閉鎖保持部３１に伝達し、接続するピアノ線３３とからなる。
【０１３１】
図２８は、本発明である開閉式刺股の第４の実施例を構成する小刺股の斜視図である。小刺股１７ｅは、押込部１７ａ付近で、左の閉鎖解除部２８の一部が嵌入するための左解除孔１７ｆ、及び、右の閉鎖解除部３２の一部が嵌入するための右解除孔１７ｇが設けられた点以外、実施例３で示した小刺股１７と同じである。
【０１３２】
図２９は、拘束部開放装置を取り付けた拘束部の一部破断面図である。図２９（Ａ）は、図２７の矢印Ａ’方向から見たときの一部破断断面図であり、図２９（Ｂ）は、図２７の平面図と平行な断面である。
【０１３３】
閉鎖保持部２７は、ネジなどの留具２７ｉで左回動アーム５にその一部が隣接するように押当部材２５の内部に固定されるコの字形状の固定枠２７ａと、固定枠２７ａの左右の挿通孔２７ｊ、２７ｋに貫通し、左回動アーム５方向の先端が、二股の扇状になっており、その間にローラー２７ｈが回転可能に取り付けられた施錠部２７ｇを備えた軸２７ｂと、軸２７ｂに挿通し、固定枠２７ａの両端に挟まれたバネ２７ｃと、固定枠２７ａで挟まれた軸２７ｂの施錠部２７ｇよりに穿設された穴に挿通するピン２７ｄからなる。
【０１３４】
なお、バネ２７ｃの両端にリング２７ｅ、２７ｆを配置することで、バネ２７ｃが固定枠２７ａの挿通孔２７ｊ、２７ｋに嵌り、左回動アーム５が開放できなくなるような不具合が防止できるためより望ましい。
【０１３５】
閉鎖解除部２８は、ネジなどの留具２８ｅで押当部材２５の挿通孔２５ａ、２５ｂに隣接するように押当部材２５の内部に固定されるコの字形状で、押当部材２５と接する面の先端が二股になっている固定枠２８ａと、挿通孔２５ａよりの固定枠２８ａに回動可能に取り付けられ、挿通孔２５ａ、２５ｂに一部突出した先端に軸２８ｂを支点に回転可能なローラー２８ｄを備えたＬ字形状の回動スイッチ２８ｃとからなる。
【０１３６】
ピアノ線２９は、閉鎖保持部２７の軸２７ｂの末端と、閉鎖解除部２８の回動スイッチ２８ｃの末端を連結し、回動スイッチ２８ｃが軸２８ｂを支点に上方に回動したとき、引かれ、同時に軸２７ｂを引き、左回動アーム５を開放する。
【０１３７】
閉鎖保持部３１は、ネジなどの留具３１ｉで右回動アーム６にその一部が隣接するように押当部材２５の内部に固定されるコの字形状の固定枠３１ａと、固定枠３１ａの左右の挿通孔３１ｊ、３１ｋに貫通し、右回動アーム６方向の先端が、二股の扇状になっており、その間にローラー３１ｈが回転可能に取り付けられた施錠部３１ｇを備えた軸３１ｂと、軸３１ｂに挿通し、固定枠３１ａの両端に挟まれたバネ３１ｃと、固定枠３１ａで挟まれた軸３１ｂの施錠部３１ｇよりに穿設された穴に挿通するピン３１ｄからなる。
【０１３８】
なお、バネ３１ｃの両端にリング３１ｅ、３１ｆを配置することで、バネ３１ｃが固定枠３１ａの挿通孔３１ｊ、３１ｋに嵌り、右回動アーム６が開放できなくなるような不具合が防止できるためより望ましい。
【０１３９】
閉鎖解除部３２は、ネジなどの留具３２ｅで押当部材２５の挿通孔２５ａ、２５ｂに隣接するように押当部材２５の内部に固定されるコの字形状で、押当部材２５と接する面の先端が二股になっている固定枠３２ａと、挿通孔２５ａよりの固定枠３２ａに回動可能に取り付けられ、挿通孔２５ａ、２５ｂに一部突出した先端に軸３２ｂを支点に回転可能なローラー３２ｄを備えたＬ字形状の回動スイッチ３２ｃとからなる。
【０１４０】
ピアノ線３３は、閉鎖保持部３１の軸３１ｂの末端と、閉鎖解除部３２の回動スイッチ３２ｃの末端を連結し、回動スイッチ３２ｃが軸３２ｂを支点に上方に回動したとき、引かれ、同時に軸３１ｂを引き、右回動アーム６を開放する。
【０１４１】
図３０は、拘束部開放装置の開放機構の説明図である。左右拘束部開放装置２６、３０は、上述のように同一の構成が、挿通孔２５ａ、２５ｂを中心に左右対称に配置されている。従って、ここでは、拘束部３ｂの自動開放機構を主に左拘束部開放装置２６を図示した。
【０１４２】
図３０（Ａ）は、拘束部３ｂが閉鎖された状態（保管時、捕獲対象拘束時）の左拘束部開放装置２６を取り付けた付近の断面図である。図３０（Ｂ）は、拘束部３ｂが開放されるときの状態の左拘束部開放装置２６を取り付けた付近の断面図である。図３０（Ｃ）は、左回動アーム５を押当部材２５の左収納部４ｃに収納する時の状況の左拘束部開放装置２６を取り付けた付近の断面図である。
【０１４３】
図３０（Ａ）に示すように、閉鎖解除部２８の回動スイッチ２８ｃ、３２ｃの先端のローラー２８ｄ、３２ｄは、押当部材２５の挿通孔２５ａ、２５ｂを挿通する小刺股１７ｅの左右解除孔１７ｆ、１７ｇに陥入している。一方、閉鎖保持部２７、３１の軸２７ｂ、３１ｂの施錠部２７ｇ、３１ｇは、バネ２７ｃ、３１ｃのバネ付勢により、左右回動アーム５、６の内部に陥入し、拘束部３ｂの閉鎖状態を保持している。
【０１４４】
図３０（Ｂ）に示すように、小刺股１７ｅを白抜き矢印の方向に押し出すと、左右解除孔１７ｆ、１７ｇも白抜き矢印の方向に移動し、それに伴って、左右の回動スイッチ２８ｃ、３２ｃが回動する。このとき、軸２７ｂ、３１ｂに連結したピアノ線２９、３３が軸２７ｂ、３１ｂを挿通孔２５ａ、２５ｂ側（白抜き矢印）に引き、それに伴って、左右回動アーム５、６が左右開放保持具９、１０のバネ付勢により、左右収納部４ｃ、４ｄから飛びだし（白抜き矢印）、拘束部３ｂが開放状態になる。白矢印方向への押し出しは、前述した下保持バネ２４ｃを取り付けることで、容易に行うことができる。
【０１４５】
図３０（Ｃ）に示すように、左右回動アーム５、６が左右収納部４ｃ、４ｄに押し込まれると、左右回動アーム６の末端が、軸２７ｂ、３１ｂの先端にあるローラー２７ｈ、３１ｈの衝突し、ローラー２７ｈ、３１ｈが回転しながら、左右回動アーム５、６で軸２７ｂ、３１ｂを挿通孔２５ａ、２５ｂ方向（白抜き矢印）に押しこみ、左右回動アーム５、６は施錠部２７ｇ、３１ｇによって、再び保持される（点線左回動アーム５、図３０（Ａ））。
【０１４６】
このようにしてなる開閉式刺股１ｃは、拘束部開放装置３４を、実施例３で示した開閉式刺股１ｂの拘束部３ｂに取り付け、小刺股１７ｅを用いることで、自動的に拘束部３ｂを開放することができるようになる。これにより、普段の未使用時には、拘束部３ｂを閉鎖した状態で保管し、本発明である開閉式刺股１ｃを使用するとき、自動で拘束部３ｂが開放し、拘束部３ｂの開閉のトラブルによって、捕獲対象１２、１２ａを取り逃がすことがなくなる。保管場所をとらなく、確実に捕獲対象１２、１２ａを捕獲できる点、実施例１〜３に比べ優れている。
【０１４７】
図３１は、本発明である開閉式刺股の第５の実施例の平面図である。本発明である開閉式刺股３５は、手で握る棒状の長柄２と、前記長柄２の先端に取り付けられたＵ字形状の押当部材３７、前記押当部材３７の一端に回動可能に取り付けられ、内部に閉鎖時の施錠を制御する施錠機構３９が設置された湾曲状の左回動アーム３８及び前記押当部材３７の他端に回動可能に取り付けられ、内部に錠４５が設置された湾曲状の右回動アーム４０よりなる拘束部３６とからなる。捕獲前は前記左右回動アーム３８、４０がバネ付勢により開放されている。
【０１４８】
押当部材３７は、実施例１の押当部材４に施錠機構３９の作動契機となる施錠ボタン３７ａを、左回動アームに向け、内部に突設した以外違いはない。押当部材３７と左右回動アーム３８、４０の取付、回動は実施例１で示した左右回動支持部４ａ、４ｂと同様であり、バネ付勢も実施例１で示した左右開放保持具９、１０によればよい。
【０１４９】
図３２は、本発明である開閉式刺股の第５の実施例による捕獲対象の拘束状態を示す一部破断平面図である。捕獲時は捕獲対象１２を前記押当部材３７、左右回動アーム３８、４０からなる拘束部３６で輪状に囲い、左右回動アーム３８、４０の先端部の前記施錠機構３９及び錠４５が連結施錠する。拘束時、左右回動アーム３８、４０は、押当部材３７の内部の左右収納部４ｃ、４ｄに収納され、施錠の契機となり、施錠は施錠機構３９により制御される。
【０１５０】
施錠の後、鍵１３を鍵穴６ａに差込み、スライド部４１と錠４５との連結を解除し、レバー４１ａで突出したスライド部４１を基に位置に戻し、拘束部３６を開放し、捕獲対象１２を拘束部３６から開放する。
【０１５１】
施錠機構３９は、左回動アーム３８先端部分内部に固定され、右回動アーム４０内の錠４５に向け突出し、連結施錠するスライド部４１と、スライド部４１の動作を制御する保持部４２と、施錠ボタン３７ａの対応する位置で左回動アーム３８内に設置された解除部４４と、保持部４２と解除部４４とを連結し、拘束部３６の閉鎖による施錠の開始をスライド部４１に伝達するワイヤ４３からなる。
【０１５２】
ワイヤ４３は、適度なテンションにて、保持部４２と解除部４４を連結することを要する。例えば、ワイヤ４３を左回動部支持４ａの外側を通し、さらに左回動アーム３８内に渡された軸３８ａの外側を通し、保持部４２と連結する。これにより、容易で、精度よく、保持部４２に施錠の開始を伝達することができる。
【０１５３】
図３３は、スライド部の説明図である。図３３（Ａ）は左回動アーム３８の先端部の平面図、図３３（Ｂ）は左回動アーム３８の先端部の一部破断透視図である。
【０１５４】
図３４は、スライド部の動作を示す断面図である。図３４（Ａ）は拘束部３６の開放時のスライド部４１の状態を示す断面図、図３４（Ｂ）は拘束部３６の閉鎖連結時のスライド部４１の状態を示す断面図である。なお、（Ａ）は図３３（Ｂ）のＡ’ーＡ’位置の断面図である。
【０１５５】
スライド部４１は、前記左回動アーム３８の先端部にネジなどの留具４１ｌで固定されたＬ字の固定板４１ｂと、前記固定板４１ｂに左回動アームとほぼ平行になるよう留具４１ｍなどで固定された横軸４１ｃと、前記横軸４１ｃに挿通するバネ４１ｄと、前記横軸４１ｃに挿通するバネ４１ｄより小径の孔４１ｆを有し、前記バネ４１ｄを挟む略Ｌ字形状のガイド板４１ｅと、前記ガイド板４１ｅの上面に固定され、先端部分に錠４５に嵌合する孔４１ｈを穿設した左右回動アーム３８、４０の先端部分の形状に成形したスライド板４１ｇと、前記スライド板４１ｇに設けられ、前記スライド板４１ｇを捕獲前に係止する鉤部４１ｊを末端に有する係止板４１ｉと、前記ガイド板４１ｅが前記横軸４１ｃから脱落するのを防止する前記左回動アーム３８に固定されたストッパ４１ｋと、前記スライド板１ｇに固定され、左回動アーム３８の長孔３８ｂより突出し、施錠解除後、スライド板４１ｇを図３４（Ａ）に示す元の位置にスライドさせ戻すためのレバー４１ａよりなる。
【０１５６】
先ず、拘束部３６が開放されているときは、鉤部４１ｊが保持部４２に係止され、バネ４１ｄが収縮した状態でスライド板４１ｇが左回動アーム３８内に収納され、図３４（Ａ）の状態にある。拘束時、左右回動アーム３８、４０が、押当部材３７の左右収納部４ｃ、４ｄに収納されたことにより、ワイヤ４３が引かれ、保持部４２が作動し、スライド板４１ｇの係止が解除され、スライド板４１ｇが、バネ４１ｄの伸張によりガイド板４１ｅを介して、右回動アーム４０内に突出し、右回動アーム４０内に設置された錠４５と嵌合し、左右回動アーム３８、４０を連結し、拘束部３６を輪状にし、捕獲対象１２を拘束する。
【０１５７】
スライド板４１ｇと錠４５との嵌合の手段は特に限定されないが、スライド部４１の先端に孔４１ｈに対応した突起を嵌合させればよい。ガイド板４１ｅ、孔４１ｆ、ストッパ４１ｋを設けているため、スライド板４１ｇは暴れこと無く、毎回決まった経路で、決まった位置まで突出することができる。
【０１５８】
図３５は、保持部の平面図である。なお、点線でスライド部４１を示した。図３６は、スライド部と保持部の関係を示す断面図である。図３６（Ａ）は、捕獲前拘束部３６の開放時のスライド部４１及び保持部４２の状態を示す断面図である。図３６（Ｂ）は、拘束時施錠機構３９による連結開始時のスライド部４１及び保持部４２の状態を示す断面図である。図３６（Ｃ）は、拘束部３６の連結時のスライド部４１及び保持部４２の状態を示す断面図である。なお、図３６（Ａ）は、図３５のＡ’ーＡ’位置での断面図である。
【０１５９】
保持部４２は、前記スライド部４１に近接し、左回動アーム３８内にネジなどの留具４２ｈで固定されたコの字形状のケース４２ａと、前記ケース４２ａに渡された支軸４２ｂと、前記支軸４２ｂに挿通した捻りコイルバネ４２ｃと、前記捻りコイルバネ４２ｃの一端を係止する前記ケース４２ａに渡された係止軸４２ｄと、前記捻りコイルバネ４２ｃの他端を係止しワイヤ４３に連結する連結部４２ｇ、前記支軸４２ｂに挿通し、前記左右回動アーム３８、４０の開放時にバネ付勢により前記スライド板４１ｇの鉤部４ｊを係止する係止部４２ｆを有する係止部材４２ｅよりなる。
【０１６０】
拘束部３６の開放時は、図３６（Ａ）に示すように、保持部４２は、係止部材４２ｅの係止部４２ｆで、スライド部４１の鈎部４１ｊを係止し、スライド板４１ｇを左回動アーム３８内に保持する。バネ４２ｃのバネ付勢力は、図３６（Ａ）の上向き白矢印で示した。
【０１６１】
拘束部３６の閉鎖時は、図３６（Ｂ）に示すように、左右回動アーム８が収納部４ｃ、４ｄに収納されるとともに、連結部４２ｇがワイヤ４３に引かれ、係止部材４２ｅが図中下白抜き矢印の示す方向に、支軸４２ｂを支点に回動する。それに伴って、係止部４２ｆが、係止板４１ｉの鉤部から外れ、バネ４１ｄが右白抜き矢印方向に伸張し、スライド板４１ｇが白抜き右矢印方向である右回動アーム４０中に突出を開始する。
【０１６２】
図３６（Ｃ）で示すように、スライド板４１ｇが突出し、左右回動アーム３８、４０が連結後は、保持部４２の係止部材４２ｅは、バネ４２ｃの付勢力で白矢印の示す方向に回動する。
【０１６３】
また、捕獲対象１２の拘束解除時には、スライド板４１ｇに固定されるレバー４１ａを図中左白抜き矢印方向にスライドし、鉤部４１ｊを係止部４２ｆに衝突させ、係止部材４２ｅを回動させ、図３６（Ａ）に示す状態に戻す。従って、係止部４２ｆは、鉤部４１ｊと反対方向に屈曲していることが望ましい。
【０１６４】
図３７は、解除部の平面図である。図３８は、施錠機構の動きを説明する断面模式図である。図３８（Ａ）は、左回動アーム３８の先端部分の断面図である。図３８（Ｂ）は、拘束部開放時の解除部の状態を示す断面図である。図３８（Ｃ）は、拘束部閉鎖時の解除部の動作を示す断面図である。なお、図３８（Ｂ）は図３７Ａ’ーＡ’位置の断面図である。また、図３８（Ａ）の実線が図３８（Ｂ）対応し、点線が図３８（Ｃ）に対応しスライド部、保持部の動作を示している。
【０１６５】
解除部４４は、前記左回動アーム３８の末端部にネジなどの留具４４ｄなどで固定したコの字形状のケース４４ａと、前記ケース４４ａに渡された支軸４４ｂに上下回動可能に挿通し、前記ワイヤ４３の他端と連結し、前記左右回動アーム３８、４０が閉じたとき、前記押当部材３７内部に突設した施錠ボタン３７ａが孔３８ｃを通り押し下げられ、前記ワイヤ４３を引く解除板４４ｃよりなる
【０１６６】
図３８に示すように、ワイヤ４３は、前記係止部材４２ｅと前記係止部材４２ｅに連結され、施錠ボタン３７ａによって、回動し、前記スライド板４１ｇの係止を解除する前記係止部材４２ｅを引く。
【０１６７】
拘束部３６が開放しているときは、図３８（Ａ）と（Ｂ）の状態にあり、係止部材４２ｅがスライド板４１ｇを保持している。一方、左右回動アーム３８、４０が押当部材３７の左右収納部４ｃ、４ｄに収納され、拘束部が閉鎖したときは、図３８（Ｃ）に示すように、押当部材３７内にネジなどの留具で固定した施錠ボタン３７ａが、左回動アームを貫通し、解除板４４ｃを図中右白抜き矢印方向に押込み、解除板４４ｃが回動し、それに伴って、ワイヤ４３が下白抜き矢印方向である解除部方向に引かれ、さらに、ワイヤ４３に連結した係止部材４２ｅが図中下白矢印方向に回動し、係止板４１ｉから係止部材４２ｅが外れ、バネ４１ｄの伸張により、点線で示したスライド板の位置まで、スライド板４１ｇが飛び出す。
【０１６８】
図３９は、錠の説明図である。図３９（Ａ）は平面図、（Ｂ）は側面図、（Ｃ）は（Ａ）のＡ’ーＡ’位置での側面断面図である。図４０は、施錠方法を説明する断面図である。図４０（Ａ）は、施錠開始後、右回動アームにスライド板が突入した状態を示す断面図である。図４０（Ｂ）は、さらに突入が進行した状態を示した断面図である。図４０（Ｃ）は、連結完了時のスライド板と錠との関係を示す断面図である。
【０１６９】
錠４５は、前記右回動アーム４０の先端部にネジなどの留具４５ｉで固定され、前記右回動アーム４０に穿設した鍵穴６ａと対応した位置に穿設された鍵穴４５ｂ、及び前記鍵穴４５ｂと対峙する位置に固定された鍵受け４５ｇを有する錠ケース４５ａと、前記錠ケース４５ａに渡された支軸４５ｃと、前記支軸４５ｃに挿通する捻りコイルバネ４５ｄと、前記支軸４５ｃを挿通し、前記スライド板４１ｇの先端部４１ｎに穿設された孔４１ｈと嵌合する突起４５ｆを有し、前記錠ケース４５ａの支軸４５ｃに回動可能に設置され、常にバネ４５ｄの付勢により、上方に押し上げられている嵌合部材４５ｅよりなる。
【０１７０】
図４０（Ａ）に示すように、捕獲前にバネ付勢により開放されている前記左右回動アーム３８、４０が、捕獲時に捕獲対象を前記押当部材３７に押し当てた衝撃で、前記左右回動アーム３８、４０が前記押当部材３７に衝突し、前記押当部材３７に突設された施錠ボタン３７ａに、解除部４４の解除板４４ｃが押し込められ、ワイヤ４３が前記保持部４２方向から引かれ、スライド板４１ｇの係止が解除され、スライド板４１ｇがバネ付勢により右回動アーム４０内に突出しする。
【０１７１】
このときまで、嵌合部材４５ｅは、バネ４５ｄのバネ付勢で、白抜き矢印方向に常に押し上げられ、ストッパ４５ｈに係止している。一方、図４０（Ｂ）に示すように、スライド板４１ｇが、一端突起４５ｆに衝突するとスライド板４１が、白抜き矢印方向に押し下げられる。
【０１７２】
スライド板４１ｇが完全に突出しきった後は、図４０（Ｃ）に示すように、嵌合部材４５ｅが、バネ４５ｄにより押し上げられ、スライド板４１ｇの孔４１ｈに嵌合し、拘束部３６を輪状に連結し、捕獲対象１２を拘束する。また、捕獲対象１２を開放すには、鍵１３によって、嵌合部材４５ｅを押し下げ、突起４５ｆと孔４１ｈの嵌合を解除し、スライド板４１ｇを元の位置に戻し、拘束部３６を開く。
【０１７３】
なお、前記スライド部４１のスライド板４１ｇの先端は先端に行くほど細くなるテーパー形状で、かつ前記錠４５の突起４５ｆの前記スライド板４１ｇ方向が斜めに欠損してあることが望ましい。確実に孔４１ｈと突起４５ｆが嵌合するからである。
【０１７４】
図４１は、本発明である開閉式刺股の第６の実施例の平面図である。本発明である開閉式刺股４６は、前記開閉式刺股１、３５の押当部材４９を貫通し、長柄２、４７内部に収納される柄５０ｂと、前記柄５０ｂの先端に設けられたＵ字形の押込部５０ａとからなる小刺股５０を有する。さらに、左右回動アーム３８、４０が施錠された後、押込開始装置５１及び押込機構５１ｊよりなるバネ付勢により前記小刺股５０が捕獲対象１２、１２ｂに向け出射する。前記バネ付勢は、押込機構５０ｊと、押込開始装置５１からなる。これにより、捕獲対象１２より細い捕獲対象１２ａ、１２ｂであっても、確実に拘束できる。
【０１７５】
拘束部４８は、先の拘束部３６の押当部材４９に小刺股５０を挿通する穴を穿設させればよい。他の機構は代わらない。長柄４７には、小刺股５０の出射を開始させる。押込開始装置５１が設けられている。
【０１７６】
図４３は、本発明である開閉式刺股の第６の実施例による捕獲対象の拘束状態を示す一部破断平面図である。拘束部４８を連結した後、小刺股５０を長柄４７内から、捕獲対象１２ｂに向け出射する。
【０１７７】
小刺股５０の押込部５ａは、前記左右回動アーム３８、４０の開放時に前記左右回動アーム３８、４０より捕獲対象１２ｂ方向に位置し、捕獲時に捕獲対象１２ｂが前記押込部５０ａを長柄４７の中に押し込むとともに、前記押込部５０ａの両末端が前記左右回動アーム３８、４０を押当部材４９に押し当て、前記施錠機構３９の解除契機となることが望ましい。即ち、押込部５０ａの両端が、左右回動アーム３８、４０の内側（拘束部の輪の中心を向く面）に接し、左右回動アーム３８、４０を押当部材４９の左右収納部４ｃ、４ｄに収納する長さ以上であることを要する。これにより、確実に左右回動アーム３８、４０が左右収納部４ｃ、４ｄに収納され、施錠ボタン３７ａが、解除部４４に作用し、スライド板４１ｇが保持部４２から開放され、確実に右回動アーム内に突出し、拘束部４８を連結することができる。
【０１７８】
図４４は、本発明である開閉式刺股の第６の実施例を構成する小刺股の斜視図である。小刺股５０は、前記開閉式刺股１、３５の押当部材４９を貫通し、長柄２、４７内部に収納される柄５０ｂと、前記柄５０ｂの先端に設けられたＵ字形の押込部５０ａとからなる。
【０１７９】
柄５０ｂの一面には、小刺股５０の前後のスライドをスムーズにし、押し戻しを防ぐ複数の溝５０ｇ、小刺股５０が出射されるまで係止する溝より大きく開口した係止孔５０ｋが穿設されている。また正面末端方向には長柄４７内部に渡された軸５０ｄを通す長孔５０ｃが穿設され、内部に小刺股５０を捕獲対象に向け前記軸５０ｄ及び軸５０ｆに係止されたバネ５０ｅによって押しだす押込機構を収納する。
【０１８０】
図４５は、小刺股の押込機構を説明する断面図である。図４５（Ａ）は拘束部の開放時の押込機構の状態、図４５（Ｂ）は捕獲対象を捕獲時に押込部５０ａを押当部材４９に押し当てたときの押込機構の状態、図４５（Ｃ）は捕獲対象をより拘束したときの状態を示す断面図である。
【０１８１】
図４５に示すように、押込機構５０ｊは、前記小刺股の柄５０ｂ内部に渡されネジなどの留具５０ｈで固定された軸５０ｆと、前記小刺股５０の柄５０ｂの上下に穿設された長孔５０ｃ、５０ｃを通り、前記長柄４７にネジなどの留具５０ｉで固定された軸５０ｄと、前記両軸５０ｆ、５０ｄに係止されたバネ５０ｅからなる。
【０１８２】
拘束部４８の開放時は、図４５（Ａ）に示すようにバネ５０ｅの収縮力で、図中白左矢印方向に押しやられている。しかし、後述の押込開始装置５１により、所定の位置に保持されている。
【０１８３】
図４５（Ｂ）に示すように、捕獲対象を拘束するとき、押込部５０ａが左右回動アームを閉鎖するとともに、押当部材４９に衝突するまで、小刺股５０の末端部は、白抜き右矢印方向である長柄４７の中にさらに押し込められる。
【０１８４】
次に、押込開始装置５１を作動させ、バネ５０ｅの収縮力により、小刺股５０を白抜き左矢印方向である捕獲対象１２ｂ方向に出射させる。このとき、軸５０ｄ及び長孔５０ｃが、ストッパの役割を果たし、小刺股５０が、長柄４７の奥に入り過ぎないよう、また出射時に長柄４７から飛び出すぎないようにできる。
【０１８５】
図４６は、小刺股の押込開始装置を説明する断面図である。図４６（Ａ）、（Ｂ）（Ｃ）は、それぞれ押込開始装置５１の側面図、平面図、（Ｂ）のＡ’ーＡ’位での解除スイッチ部５２を除いた断面図である。
【０１８６】
押込開始装置５１は、長柄４７に固定されたカバー５１ａと、カバー５１ａに渡された軸部５１ｃに回動可能に挿通する解除スイッチ部５２と、軸部５１ｃに挿通しカバー５１ａの内部壁面に係り、解除スイッチ部５２に係止する撚りバネ５３とからなる。
【０１８７】
さらに、カバー５１ａに前方（拘束部方向）に回動可能に設けられ、捕獲対象１２ｂに小刺股５０を出射し強く拘束した後、捕獲対象１２ｂよって小刺股５０が押し戻されないよう解除スイッチ部５２の回動を阻止するロック５１ｂを使用するとよい。
【０１８８】
カバー５１ａは、長柄４７に密着し、ネジ等の留具で固定する際に利用される接触部５１ｆと、軸部５１ｃの軸を挿通し係止する係止部５１ｇからなる。ここでは接触部５１ｆは長柄４７の形状に合わせ湾曲させている。係止部５１ｇはコの字状の時であり、その上面に解除スイッチ部５１が係止回動する開口５１ｈが設けられている。
【０１８９】
カバー５１ａは、長方形の金属板の中心線に平行にコの字状に成型し、その上面を切り取り開口５１ｈとし、両側面に軸部５１ｃを挿通する孔を穿設し係止部５１ｈとし、その両端部湾曲状に成形し、孔５１ｅを穿設し接触部５１ｆができる。なお、カバー５１ａは、接触部５１ｆの孔５１ｅでネジ等の留具で固定するとよい。溶接をするより、押込開始装置５１の組み立て、修理が容易であるためである。
【０１９０】
図４７は、押込開始装置の解除スイッチ部の説明図である。図４７（Ａ）、（Ｂ）（Ｃ）は、それぞれ解除スイッチ部５２の側面図、正面図、側面分解図である。
【０１９１】
解除スイッチ部５２は、前記軸部５１ｃに回動可能に孔５２ｃで挿通し、長柄４７のスリット４７ｂに通り柄５０ｂに接触するコの字形のストッパ５２ａ及び前記ストッパ５２ａ上面に設けられたストッパ５２ａの動き制御するレバー５２ｂよりなり、小刺股５０の動きを制御する。
【０１９２】
ストッパ５２ａの側面には、撚りバネ５３の一端を係止する係止穴５２ｅが穿設されている。コの字の反拘束部４８方向の一端の係止突起５２ｈは、捕獲対象１２を押当部材４９に押し当てたとき、小刺股５０の係止孔５０ｋに陥入し、一旦小刺股５０を手元側に保持する。
【０１９３】
コの字の拘束部４８方向に位置する他端の拘束突起５２ｆは、捕獲対象１２ｂを小刺股５０で拘束した後、小刺股５０の溝５０ｇに嵌合させ、小刺股５０を押し戻されないようする。
【０１９４】
拘束突起５２ｆの底面は、弧状に成形されたスライド面５２ｇとする。スライド面５２ｇとすることで、小刺股５０が捕獲対象１２ｂに出射されるとき、拘束突起５２ｆが溝５０ｇに引っかかり、小刺股５０の出射を止めることがない。
【０１９５】
レバー５２ｂは、ストッパ５２ａの側面を挟み込む前記ストッパ５２の孔５２ａに対応する位置に孔５２ｃが穿設された２枚の側板５２ｉと、側板５２ｉの上部に側板５２ｉと垂直に設置された天板５２ｊからなる。
【０１９６】
ストッパ５２ａの孔５２ａとともに軸部５１ｃの軸に孔５２ｃを挿通させることで、レバー５２ｂをストッパ５２ａに溶接しなくとも、レバー５２ｂがストッパと同じく動く。天板５２ｊのロック側５１ｂは、ロック５１ｂが係止し動きを制動する。
【０１９７】
図４８〜図５０は、押込開始装置の動作の説明図で、押込開始装置５１付近の断面図である。
【０１９８】
図４８（Ａ）は拘束部４８の開放時の押込開始装置５１の状態を示している。解除スイッチ部５２の係止突起５２ｈが、撚りバネ５３のバネ付勢により、柄５０ｂに押しつけられている（図中白抜き矢印（下向き））。
【０１９９】
図４８（Ｂ）は捕獲対象１２ｂを捕獲時に押込部５０ａを押当部材４９に押し当てているときの押込開始装置５１の状態を示している。柄５０ｂは、捕獲対象１２ｂによって図中白抜き矢印（右）方向に押し込まれる。このとき、係止突起５２ｈは、溝５０ｇの幅より長いため、溝５０ｇに嵌ることなく撚りバネ５３のバネ付勢と、溝５０ｇとの反動で上下に揺動する（図中両矢印）。また、軸５０ｃに係止されているバネ５０ｅは伸びる。
【０２００】
図４９（Ｃ）は、小刺股５０が手元側で、出射前に保持されているときの押込開始装置５１の状態を示している。押込部５０ａが押当部材４９に接触するとき、係止突起５２ｈが係止孔５０ｋに撚りバネ５３のバネ付勢により嵌合する。
【０２０１】
従って、押込部５０ａが押当部材４９に接触する位置にきたとき、係止孔５０ｋが係止突起５２ｈの下に位置するよう柄５０ｂに穿設される。また、係止孔５０ｋは係止突起５２ｈより大きく開口させる。
【０２０２】
このとき、小刺股５０はバネ５０ｅにより捕獲対象１２ｂ方向（図中白抜き矢印（左））に力が掛かっている。なお、柄５０ｂの外経が長柄４７の内径より小さい場合は、ガイド２０によって柄５０ｂが長柄４７の内部の決まった位置をスライドするように位置決めをすることで、係止突起５２ｈが、係止孔５０ｋに確実嵌合する。
【０２０３】
図４９（Ｄ）は、小刺股５０で捕獲対象１２ｂをより強く拘束するときの、小刺股５０が捕獲対象１２向け出射しているときの押込開始装置５１の状態を示している。
【０２０４】
小刺股５０の拘束開始は、レバー５２ｂの前方を下方（白抜き矢印方向）に押し込むことにより、係止突起５２ｈが係止孔５０ｋより外れ、バネ５０ｅの収縮力で小刺股５０が捕獲対象１２ｂ向け出射する。
【０２０５】
このとき、拘束突起５２ｆは柄５０ｂに接触するが、溝５０ｇは拘束突起５２ｆより小さな穴であるので、拘束突起５２ｆが嵌合することがない。また、溝５０ｇの柄の出射方向の後方側が斜めに削られた切欠部５０ｌが設けられていること、拘束突起５２ｆの柄５０ｂと接触する面は湾曲したスライド面５２ｇが成形されていることにより、ストッパ５２ａが撚りバネ５３の下方（図中下向き白抜き矢印）と、柄５０ｂの衝突とで上下に揺動しながら、柄５０ｂが拘束突起５２ｆによって出射を中断させられることがなく、スムーズにスライドする。
【０２０６】
図５０（Ｅ）は、捕獲対象１２ｂを小刺股５０で強く拘束したときの押込開始装置５１の状態を示している。小刺股５０が捕獲対象１２ｂを強く拘束した後、ロック５１ｂを回動させ、レバー５２ｂに係止し、レバー５２ｂの回動を阻止されるとともに、撚りバネ５３の拘束突起５２ｆの押し上げる作用を防ぎ、拘束突起５２ｆを柄５０ｂに押し当てつつけることができる。
【０２０７】
これにより、適当な位置の溝５０ｇに拘束突起５２ｆの拘束部４８方向の先端が陥入し、小刺股５０の押し戻しを防ぐ。このとき、バネは拘束部４８方向（図中左向き白抜き矢印）に柄５０ｂを押し込むよう力が作用している。このような簡易な操作で、一旦拘束した捕獲対象１２ｂを暴れても力によって押さえ込むことなく、非力な者であっても容易に拘束し続け、取り逃がすことがない。
【０２０８】
図５１は、左右解放機構を備えた拘束部である。拘束部５８は、図３の拘束部３の左右解放保持具９、１０を左右解放機構５４、５５に、またそれに適した左右回動アーム５６、５７に置換したものである。
【０２０９】
左解放機構５４は、前述の左回動支持部４ａ及び前記左回動支持部４ａに挿通し一端が左収納部内部４ｃに係り他端が背面にスリット５６ａが穿設された左回動アーム５６内部に係る撚りバネ５４ａからなる。
【０２１０】
右解放機構５５は、前述の右回動動支持部４ｂ及び前記右回動支持部４ｂに挿通し一端が右収納部４ｄ内部に係り他端が背面にスリット６０ａが穿設された右回動アーム５７内部に係る撚りバネ５５ａからなる。
【０２１１】
図５２は、左右解放機構を備えた他の拘束部である。拘束部６１は、図４２の拘束部４８の左右解放保持具９、１０を左右解放機構５４、５５に、またそれに適した左右回動アーム５９、６０に置換したものである。
【０２１２】
左右解放機構５４、５５は、左右解放保持具９、１０より、容易かつ安価に拘束部４８、６１を解放することができる。
【図面の簡単な説明】
【０２１３】
【図１】本発明である開閉式刺股の第１の実施例の平面図である。
【図２】開放保持具の透視斜視図である。
【図３】実施例１の開放状態の拘束部の一部破断平面図である。
【図４】捕獲・拘束したときの閉鎖状態の実施例１の拘束部の一部破断平面図である。
【図５】左右回動支持部の断面図である。
【図６】右回動アームの先端部及び鍵の斜視図である。
【図７】図６の一点鎖線矢印Ａ’方向から見た錠本体の平面図である。
【図８】施錠・施錠解除時の錠本体の動作を示す断面図である。
【図９】回転体を取り付けた左回動アームの斜視図である。
【図１０】図９の一点鎖線矢印Ａ’方向から見た平面図である。
【図１１】回転アームの動作を示す断面図である。
【図１２】回転アーム解除装置の断面図である。
【図１３】本発明である開閉式刺股の第２の実施例の平面図である。
【図１４】捕獲・拘束したときの閉鎖状態の実施例２の拘束部の一部破断平面図である。
【図１５】本発明である開閉式刺股の第３の実施例の平面図である。
【図１６】実施例３を構成する小刺股の斜視図である。
【図１７】押込装置の側面図である。
【図１８】押込装置の一部分解平面図である。
【図１９】押込装置の側面断面図（図１８の一点鎖線Ａ’位置）である。
【図２０】ストッパー取り付け部の拡大断面図である。
【図２１】嵌合部材の説明図である。
【図２２】押込手段を説明する断面図である。
【図２３】ガイドの説明図である。
【図２４】押し込み解除機構を説明する断面図である。
【図２５】押込戻装置の説明図である。
【図２６】本発明である開閉式刺股の第４の実施例の平面図である。
【図２７】拘束部開放装置を取り付けた拘束部の平面図である。
【図２８】本発明である開閉式刺股の第４の実施例を構成する小刺股の斜視図である。
【図２９】拘束部開放装置を取り付けた拘束部の一部破断面図である。
【図３０】拘束部開放装置の開放機構の説明図である。
【図３１】本発明である開閉式刺股の第５の実施例の平面図である。
【図３２】本発明である開閉式刺股の第５の実施例による捕獲対象の拘束状態を示す一部破断平面図である。
【図３３】スライド部の説明図である。
【図３４】スライド部の動作を示す断面図である。
【図３５】保持部の平面図である。
【図３６】スライド部と保持部の関係を示す断面図である。
【図３７】解除部の平面図である。
【図３８】施錠機構の動きを説明する断面模式図である。
【図３９】錠の説明図である。
【図４０】施錠方法を説明する断面図である。
【図４１】本発明である開閉式刺股の第６の実施例の平面図である。
【図４２】本発明である開閉式刺股の第６の実施例による捕獲対象の拘束中の状態を示す一部破断平面図である。
【図４３】本発明である開閉式刺股の第６の実施例による捕獲対象の拘束後の状態を示す一部破断平面図である。
【図４４】本発明である開閉式刺股の第６の実施例を構成する小刺股の斜視図である。
【図４５】小刺股の押込機構を説明する断面図である。
【図４６】小刺股の押込開始装置を説明する断面図である。
【図４７】押込開始装置の解除スイッチ部の説明図である。
【図４８】押込開始装置の動作の説明図である。
【図４９】押込開始装置の動作の説明図である。
【図５０】押込開始装置の動作の説明図である。
【図５１】左右解放機構を備えた拘束部である。
【図５２】左右解放機構を備えた他の拘束部である。
【符号の説明】
【０２１４】
１      開閉式刺股
１ａ    開閉式刺股
１ｂ    開閉式刺股
１ｃ    開閉式刺股
２      長柄
２ａ    長柄
２ｂ    長孔
２ｃ    長柄
２ｄ    長孔
３      拘束部
３ａ    拘束部
３ｂ    拘束部
４      押当部材
４ａ    左回動支持部
４ｂ    右回動支持部
４ｃ    左収納部
４ｄ    右収納部
４ｅ    穴
４ｆ    軸
４ｇ    ネジ
４ｈ    リング
４ｉ    ワッシャー
４ｊ    凹部
５      左回動アーム
５ａ    回転支持部
５ｂ    保持爪
５ｃ    長孔
５ｄ    留具
５ｆ    ワイヤ
５ｇ    固定具
５ｈ    バンド
５ｉ    バネ
５ｊ    ケース
５ｋ    軸
５ｌ    留具
５ｍ    穴
５ｎ    ワイヤ
５ｏ    バネ
５ｐ    穴
５ｑ    穴
５ｒ    穴
５ｓ    保持板
５ｔ    留具
５ｕ    穴
６      右回動アーム
６ａ    鍵穴
６ｂ    鍵受け
６ｃ    切込部
６ｄ    ストッパ
６ｆ    留具
６ｅ    留具
７      錠本体
７ａ    ケース
７ｂ    昇降部
７ｃ    スライド部
７ｄ    バネ
７ｅ    昇降板
７ｆ    スライド板
７ｇ    バネ
７ｈ    軸
７ｉ    孔
７ｊ    柱
７ｋ    留具
７ｌ    孔
７ｍ    横軸
７ｎ    ネジ
７ｏ    ピン
７ｐ    ピン
７ｑ    孔
７ｒ    切込部
７ｓ    孔
７ｔ    リング
７ｕ    起立部
８      回転アーム
８ａ    ローラー
８ｂ    左回転板
８ｃ    右回転板
８ｄ    留具
８ｅ    留具
８ｆ    回転軸
８ｇ    リング
８ｈ    孔
８ｉ    張力部
８ｊ    回転体
８ｋ    ローラー軸
９      左開放保持具
９ａ    軸
９ｂ    Ｌ字板
９ｃ    湾曲板
９ｄ    留具
９ｅ    孔
９ｆ    上湾曲部
９ｇ    下湾曲部
１０    右開放保持具
１０ａ  軸
１０ｂ  Ｌ字板
１０ｃ  湾曲板
１０ｄ  留具
１０ｅ  穴
９ｆ    上湾曲部
９ｇ    下湾曲部
１１    錠
１２    捕獲対象
１２ａ  捕獲対象
１３    鍵
１３ａ  凸部
１３ｂ  孔
１４    回転アーム解除装置
１４ａ  回転体
１４ｂ  突起
１４ｃ  施錠ボタン
１４ｄ  軸
１４ｅ  枠体
１４ｆ  穴
１４ｇ  穴
１４ｈ  バネ
１４ｉ  窪み
１４ｊ  穴
１４ｋ  固定部材
１４ｌ  留具
１４ｍ  調節ネジ
１４ｎ  スイッチ部
１４ｏ  保持部
１４ｐ  調節部
１５    小刺股
１５ａ  押込部
１５ｂ  柄
１５ｃ  レバー
１６    押当部材
１６ａ  穴
１７    小刺股
１７ａ  押込部
１７ｂ  柄
１７ｃ  溝
１７ｄ  穴
１７ｅ  小刺股
１７ｆ  左解除孔
１７ｇ  右解除孔
１８    押込装置
１８ａ  ハンドル
１８ｂ  左カバー
１８ｃ  右カバー
１８ｄ  留具
１８ｅ  留具
１８ｆ  長孔
１９    押込戻装置
１９ａ  底蓋
１９ｂ  バネ
１９ｃ  留具
１９ｄ  留具
１９ｅ  軸
１９ｆ  留具
１９ｇ  係止部材
２０    ガイド
２０ａ  孔
２０ｂ  留具
２１    ギア装置
２１ａ  歯車
２１ｂ  孔
２１ｃ  リング
２１ｄ  リング
２１ｅ  リング
２１ｆ  リング
２１ｇ  軸
２１ｈ  留具
２１ｉ  歯
２２    ストッパー
２２ａ  止板
２２ｂ  バネ
２２ｃ  軸
２３    嵌合部材
２３ａ  固定板
２３ｂ  軸
２３ｃ  爪
２３ｄ  バネ
２３ｅ  留具
２３ｆ  先端部
２４    押込解除装置
２４ａ  左上保持バネ
２４ｂ  右上保持バネ
２４ｃ  下保持バネ
２４ｄ  係止部
２４ｅ  係止部
２４ｆ  係止部
２５    押当部材
２５ａ  挿通孔
２５ｂ  挿通孔
２６    左拘束部開放装置
２７    閉鎖保持部
２７ａ  固定枠
２７ｂ  軸
２７ｃ  バネ
２７ｄ  ピン
２７ｅ  リング
２７ｆ  リング
２７ｇ  施錠部
２７ｈ  ローラー
２７ｉ  留具
２７ｊ  挿通孔
２７ｋ  挿通孔
２８    閉鎖解除部
２８ａ  固定枠
２８ｂ  軸
２８ｃ  回動スイッチ
２８ｄ  ローラー
２８ｅ  留具
２９    ピアノ線
３０    右拘束部開放装置
３１    閉鎖保持部
３１ａ  固定枠
３１ｂ  軸
３１ｃ  バネ
３１ｄ  ピン
３１ｅ  リング
３１ｆ  リング
３１ｇ  施錠部
３１ｈ  ローラー
３１ｉ  留具
３１ｊ  挿通孔
３１ｋ  挿通孔
３２    閉鎖解除部
３２ａ  固定枠
３２ｂ  軸
３２ｃ  回動スイッチ
３２ｄ  ローラー
３３    ピアノ線
３４    拘束部開放装置
３５    開閉式刺股
３６    拘束部
３７    押当部材
３７ａ  施錠ボタン
３８    左回動アーム
３８ａ  軸
３８ｂ  長孔
３８ｃ  
３９    施錠機構
４０    右回動アーム
４１    スライド部
４１ａ  レバー
４１ｂ  固定板
４１ｃ  横軸
４１ｄ  バネ
４１ｅ  ガイド板
４１ｆ  孔
４１ｇ  スライド板
４１ｈ  孔
４１ｉ  係止板
４１ｊ  鈎部
４１ｋ  ストッパ
４１ｌ  留具
４１ｍ  留具
４１ｎ  先端部
４２    保持部
４２ａ  ケース
４２ｂ  支軸
４２ｃ  バネ
４２ｄ  係止軸
４２ｅ  係止部材
４２ｆ  係止部
４２ｇ  連結部
４２ｈ  留具
４３    ワイヤ
４４    解除部
４４ａ  ケース
４４ｂ  支軸
４４ｃ  解除板
４４ｄ  留具
４５    錠
４５ａ  錠ケース
４５ｂ  鍵穴
４５ｃ  支軸
４５ｄ  バネ
４５ｅ  嵌合部材
４５ｆ  突起
４５ｇ  鍵受け
４５ｈ  ストッパ
４５ｉ  留具
４６    開閉式刺股
４７    長柄
４７ａ  底蓋
４７ｂ  スリット
４８    拘束部
４９    押当部材
５０    小刺股
５０ａ  押込部
５０ｂ  柄
５０ｃ  長孔
５０ｄ  軸
５０ｅ  バネ
５０ｆ  軸
５０ｇ  溝
５０ｈ  留具
５０ｉ  留具
５０ｊ  押込機構
５０ｋ  係止孔
５０ｌ  切欠部
５１    押込開始装置
５１ａ  カバー
５１ｂ  ロック
５１ｃ  軸部
５１ｅ  孔
５１ｆ  接触部
５１ｇ  係止部
５１ｈ  開口
５２    解除スイッチ部
５２ａ  ストッパ
５２ｂ  レバー
５２ｃ  孔
５２ｄ  孔
５２ｅ  係止穴
５２ｆ  拘束突起
５２ｇ  スライド面
５２ｈ  係止突起
５２ｉ  側板
５２ｊ  天板
５３    撚りバネ
５４    左解放機構
５４ａ  撚りバネ
５５    右解放機構
５５ａ  撚りバネ
５６    左回動アーム
５６ａ  スリット
５７    右回動アーム
５７ａ  スリット
５８    拘束部
５９    左回動アーム
５９ａ  スリット
６０    右回動アーム
６０ａ  スリット
６１    拘束部
【図１】
2007278685.tif 000003
【図２】
2007278685.tif 000004
【図３】
2007278685.tif 000005
【図４】
2007278685.tif 000006
【図５】
2007278685.tif 000007
【図６】
2007278685.tif 000008
【図７】
2007278685.tif 000009
【図８】
2007278685.tif 000010
【図９】
2007278685.tif 000011
【図１０】
2007278685.tif 000012
【図１１】
2007278685.tif 000013
【図１２】
2007278685.tif 000014
【図１３】
2007278685.tif 000015
【図１４】
2007278685.tif 000016
【図１５】
2007278685.tif 000017
【図１６】
2007278685.tif 000018
【図１７】
2007278685.tif 000019
【図１８】
2007278685.tif 000020
【図１９】
2007278685.tif 000021
【図２０】
2007278685.tif 000022
【図２１】
2007278685.tif 000023
【図２２】
2007278685.tif 000024
【図２３】
2007278685.tif 000025
【図２４】
2007278685.tif 000026
【図２５】
2007278685.tif 000027
【図２６】
2007278685.tif 000028
【図２７】
2007278685.tif 000029
【図２８】
2007278685.tif 000030
【図２９】
2007278685.tif 000031
【図３０】
2007278685.tif 000032
【図３１】
2007278685.tif 000033
【図３２】
2007278685.tif 000034
【図３３】
2007278685.tif 000035
【図３４】
2007278685.tif 000036
【図３５】
2007278685.tif 000037
【図３６】
2007278685.tif 000038
【図３７】
2007278685.tif 000039
【図３８】
2007278685.tif 000040
【図３９】
2007278685.tif 000041
【図４０】
2007278685.tif 000042
【図４１】
2007278685.tif 000043
【図４２】
2007278685.tif 000044
【図４３】
2007278685.tif 000045
【図４４】
2007278685.tif 000046
【図４５】
2007278685.tif 000047
【図４６】
2007278685.tif 000048
【図４７】
2007278685.tif 000049
【図４８】
2007278685.tif 000050
【図４９】
2007278685.tif 000051
【図５０】
2007278685.tif 000052
【図５１】
2007278685.tif 000053
【図５２】
2007278685.tif 000054